(57)【要約】      （修正有）【課題】アップリンクコンポーネントキャリア上の電力を管理するワイヤレス通信のための方法を提供する。【解決手段】方法は、ユーザ機器（ＵＥ）ために構成された複数のコンポーネントキャリアのうちの第１のアップリンクコンポーネントキャリアを識別することと、第１のアップリンクコンポーネントキャリアが共有無線周波数スペクトル帯域上で送信されると決定することと、決定することに少なくとも部分的に基づいて、現在サブフレームについて、第１のアップリンクコンポーネントキャリアに対して電力管理動作を実行することとを含む。【選択図】図１１
2020145709.tif 000002
【特許請求の範囲】
【請求項１】
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することと
を備える、ワイヤレス通信のための方法。
【請求項２】
前記電力管理動作を実行することが、
前記第１のアップリンクコンポーネントキャリア上の送信電力を最小保証電力以上に維持すること
を備える、請求項１に記載の方法。
【請求項３】
前記最小保証電力が、前記第１のアップリンクコンポーネントキャリア上で送信されるチャネルタイプまたはアップリンク情報タイプに依存する、請求項２に記載の方法。
【請求項４】
前記現在サブフレーム中に前記第１のアップリンクコンポーネントキャリア上で物理アップリンク制御チャネル（ＰＵＣＣＨ）または物理アップリンク共有チャネル（ＰＵＳＣＨ）のうちの少なくとも１つをスケジュールすること
をさらに備える、請求項３に記載の方法。
【請求項５】
前記最小保証電力がＰＵＣＣＨ最小保証電力成分およびＰＵＳＣＨ最小保証電力成分のうちの少なくとも１つを備え、ここにおいて、前記ＰＵＣＣＨ最小保証電力成分が前記ＰＵＳＣＨ最小保証電力成分よりも大きい、請求項４に記載の方法。
【請求項６】
前記電力管理動作を実行することが、
前記現在サブフレームについて、前記第１のアップリンクコンポーネントキャリア上の送信電力を低減された電力にスケーリングすること
を備える、請求項１に記載の方法。
【請求項７】
前記現在サブフレームの後にくる少なくとも１つの後続サブフレームについて、前記第１のアップリンクコンポーネントキャリア上の最大送信電力として、前記低減された電力を使用すること
をさらに備える、請求項６に記載の方法。
【請求項８】
前記少なくとも１つの後続サブフレームが、前記現在サブフレームと後続フレームの境界との間の少なくとも１つのアップリンクサブフレームを備える、請求項７に記載の方法。
【請求項９】
前記現在サブフレームと後続フレームの境界との間のいくつかのアップリンクサブフレームのうちの少なくとも１つについて、前記第１のアップリンクコンポーネントキャリア上の送信をドロップすること
をさらに備える、請求項６に記載の方法。
【請求項１０】
前記スケーリングすることがしきい値電力低減を上回り、前記方法が、
前記現在サブフレームと後続フレームの境界との間のいくつかのアップリンクサブフレームのうちの少なくとも１つについて、前記第１のアップリンクコンポーネントキャリア上の送信をドロップすること
をさらに備える、請求項６に記載の方法。
【請求項１１】
前記電力管理動作を実行することが、
前記現在サブフレームに先行するサブフレーム中に前記第１のアップリンクコンポーネントキャリア上の送信電力を使用すること、前記送信電力が、前記現在サブフレームについて、前記第１のアップリンクコンポーネントキャリア上の最大送信電力である、
を備える、請求項１に記載の方法。
【請求項１２】
前記電力管理動作を実行することが、
前記現在サブフレームについて、前記第１のアップリンクコンポーネントキャリア上の送信をドロップすること
を備える、請求項１に記載の方法。
【請求項１３】
前記現在サブフレームと後続フレームの境界との間のいくつかのアップリンクサブフレームのうちの少なくとも１つについて、前記第１のアップリンクコンポーネントキャリア上の送信をドロップすること
をさらに備える、請求項１２に記載の方法。
【請求項１４】
前記現在サブフレームと後続フレームの境界との間のいくつかのアップリンクサブフレームのうちの少なくとも１つについて、前記第１のアップリンクコンポーネントキャリア上の送信をドロップすること
をさらに備える、請求項１２に記載の方法。
【請求項１５】
前記共有無線周波数スペクトル帯域のためのクリアチャネルアセスメント（ＣＣＡ）を実行すること、前記ＣＣＡが、前記現在サブフレームの後にくる少なくとも１つの後続アップリンクサブフレームについて実行される、
をさらに備える、請求項１２に記載の方法。
【請求項１６】
前記現在サブフレームについて、前記第１のアップリンクコンポーネントキャリアのための第１のアップリンクスケジューリングを受信することと、
前記現在サブフレームについて、前記第１のアップリンクコンポーネントキャリアのための第２のアップリンクスケジューリングを受信することと
をさらに備える、請求項１に記載の方法。
【請求項１７】
前記電力管理動作を実行することに少なくとも部分的に基づいて前記第２のアップリンクスケジューリングを使用すること
をさらに備える、請求項１６に記載の方法。
【請求項１８】
前記電力管理動作の状態に少なくとも部分的に基づいて前記第１のアップリンクスケジューリングまたは前記第２のアップリンクスケジューリングを使用すること
をさらに備える、請求項１６に記載の方法。
【請求項１９】
前記電力管理動作を実行することが、
前記現在サブフレームについて、前記第１のアップリンクコンポーネントキャリア上の送信電力を低減された電力にスケーリングすることと、
前記スケーリングすることがしきい値電力低減を上回らないとき、前記第１のアップリンクスケジューリングを使用することと、
前記スケーリングすることが前記しきい値電力低減を上回るとき、前記第２のアップリンクスケジューリングを使用することと
を備える、請求項１６に記載の方法。
【請求項２０】
前記複数のコンポーネントキャリアが、前記共有無線周波数スペクトル帯域上で送信される第２のアップリンクコンポーネントキャリアを備える、請求項１に記載の方法。
【請求項２１】
前記複数のコンポーネントキャリアが、認可無線周波数スペクトル帯域上で送信される第２のアップリンクコンポーネントキャリアを備える、請求項１に記載の方法。
【請求項２２】
前記複数のコンポーネントキャリアが前記ＵＥのためのキャリアアグリゲーション動作のために構成された、請求項１に記載の方法。
【請求項２３】
前記複数のコンポーネントキャリアが前記ＵＥのためのデュアル接続性動作のために構成された、請求項１に記載の方法。
【請求項２４】
ユーザ機器（ＵＥ）のために構成された複数のコンポーネントキャリアのうちの第１のアップリンクコンポーネントキャリアを識別するための手段と、
前記第１のアップリンクコンポーネントキャリアが共有無線周波数スペクトル帯域上で送信されると決定するための手段と、
前記決定することに少なくとも部分的に基づいて、現在サブフレームについて、前記第１のアップリンクコンポーネントキャリアに対して電力管理動作を実行するための手段とを備える、ワイヤレス通信のための装置。
【請求項２５】
プロセッサと、
前記プロセッサと電子通信しているメモリと
を備え、
前記プロセッサおよび前記メモリは、
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することと
を行うように構成された、ワイヤレス通信のための装置。
【請求項２６】
前記プロセッサおよび前記メモリが、
前記第１のアップリンクコンポーネントキャリア上の送信電力を最小保証電力以上に維持すること
を行うように構成された、請求項２５に記載の装置。
【請求項２７】
前記最小保証電力が、前記第１のアップリンクコンポーネントキャリア上で送信されるチャネルタイプまたはアップリンク情報タイプに依存する、請求項２６に記載の装置。
【請求項２８】
前記プロセッサおよび前記メモリが、
前記現在サブフレームについて、前記第１のアップリンクコンポーネントキャリア上の送信電力を低減された電力にスケーリングすること
を行うように構成された、請求項２５に記載の装置。
【請求項２９】
前記プロセッサおよび前記メモリが、
前記現在サブフレームの後にくる少なくとも１つの後続サブフレームについて、前記第１のアップリンクコンポーネントキャリア上の最大送信電力として、前記低減された電力を使用すること
を行うように構成された、請求項２８に記載の装置。
【請求項３０】
ワイヤレス通信のためのコンピュータ実行可能コードを記憶する非一時的コンピュータ可読媒体であって、前記コードが、
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することと
を行うためにプロセッサによって実行可能である、非一時的コンピュータ可読媒体。
【発明の詳細な説明】
【技術分野】
【０００１】
相互参照
[0001]  本特許出願は、各々が本出願の譲受人に譲渡された、２０１５年９月１８日に出願された、「Techniques for Managing Power on an Uplink Component Carrier Transmitted Over a Shared Radio Frequency Spectrum Band」と題する、Ｃｈｅｎらによる米国特許出願第１４／８５８，６８８号、および２０１４年１０月２日に出願された、「Techniques for Managing Power on an Uplink Component Carrier Transmitted Over a Shared Radio Frequency Spectrum Band」と題する、Ｃｈｅｎらによる米国仮特許出願第６２／０５８，８２３号の優先権を主張する。
【０００２】
[0002]  本開示は、たとえば、ワイヤレス通信システム（wireless communication system）に関し、より詳細には、共有無線周波数スペクトル帯域（shared radio frequency spectrum band）上で送信されるアップリンクコンポーネントキャリア（uplink component carrier）上の電力を管理するための技法に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]  例として、ワイヤレス多元接続通信システムは、各々が、場合によってはユーザ機器（ＵＥ：user equipment）として知られる、複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]  いくつかの通信モードは、セルラーネットワークの共有無線周波数スペクトル帯域上で、または異なる無線周波数スペクトル帯域（たとえば、認可無線周波数スペクトル帯域（licensed radio frequency spectrum band）または共有無線周波数スペクトル帯域）上で基地局とＵＥとの間の通信を可能にし得る。認可無線周波数スペクトル帯域を使用するセルラーネットワークにおけるデータトラフィック（data traffic）の増加とともに、少なくとも一部のデータトラフィックの、共有無線周波数スペクトル帯域へのオフローディング（offloading）は、セルラー事業者に拡張データ送信容量のための機会を与え得る。共有無線周波数スペクトル帯域はまた、認可無線周波数スペクトル帯域へのアクセスが利用不可能であるエリア中でサービスを与え得る。
【０００６】
[0006]  共有無線周波数スペクトル帯域へのアクセスを獲得し、共有無線周波数スペクトル帯域上で通信するより前に、基地局またはＵＥは、共有無線周波数スペクトル帯域へのアクセスを求めて競合（contend）するために、リッスンビフォアトーク（ＬＢＴ：listen before talk）プロシージャ（procedure）を実行し得る。ＬＢＴプロシージャは、共有無線周波数スペクトル帯域のチャネルが利用可能であるかどうかを決定するために、クリアチャネルアセスメント（ＣＣＡ：clear channel assessment）プロシージャを実行することを含み得る。共有無線周波数スペクトル帯域のチャネルが利用可能であると決定されたとき、チャネル使用ビーコン信号（ＣＵＢＳ：channel usage beacon signal）が、チャネルを予約するために送信され得る。
【０００７】
[0007]  いくつかの動作モードでは、ＵＥは、キャリアアグリゲーションモード（carrier aggregation mode）またはデュアル接続性モード（dual-connectivity mode）で動作し得、それらのモードでは、ＵＥは、複数のコンポーネントキャリアを使用して１つまたは複数の基地局と通信するように構成され得る。２つまたはそれ以上のコンポーネントキャリアを使用して通信するとき、ＵＥは、コンポーネントキャリアごとの送信電力（transmit power）、ならびに総送信電力（total transmit power）（たとえば、使用中のコンポーネントキャリアの組合せのための最大送信電力（maximum transmit power））を割り振られ得る。時々、ＵＥによって使用中の様々なコンポーネントキャリアの送信電力の合計は、総送信電力を超え得る。これらの場合、ＵＥは、様々なコンポーネントキャリアの送信電力の合計を総送信電力内にするために電力スケーリング（power scaling）を採用し得る。
【発明の概要】
【０００８】
[0008]  本開示は、たとえば、共有無線周波数スペクトル帯域上で送信されるアップリンクコンポーネントキャリア上の電力を管理するための１つまたは複数の技法に関する。共有無線周波数スペクトル帯域へのアクセスを求めて競合するプロセスは不確実である（たとえば、共有無線周波数スペクトル帯域へのアクセスを得ることは、最初の試みで行われないことがあるか、またはアクセスを求める競合（contention）が試みられるあらゆるサブフレーム中で行われるとは限らないことがある）ので、行われるべき送信があるとき、共有無線周波数スペクトル帯域へのアクセスを可能な限り長く維持することは有用である。しかしながら、キャリアアグリゲーションモードで動作しているときに認可無線周波数スペクトル帯域上で送信されるアップリンクコンポーネントキャリア上で使用するために設計されている電力管理動作（power management operation）（たとえば、電力スケーリング技法）は、コンポーネントキャリア上の送信がドロップ（drop）されるほど非常に著しい電力低減を生じることがある。送信がドロップされたとき、別の送信装置は、共有無線周波数スペクトル帯域へのアクセスを求めて競合し、それへのアクセスを獲得し、送信をドロップした送信装置が共有無線周波数スペクトル帯域へのアクセスを再獲得することを禁止し得る。キャリアアグリゲーションモードで動作しているときに認可無線周波数スペクトル帯域上で送信されるアップリンクコンポーネントキャリア上で使用するために設計されている電力管理動作はまた、サブフレームごとの送信電力の変動を生じることがあり、それは、共有無線周波数スペクトル帯域上で送信するときに望ましくないことがある。
【０００９】
[0009]  一例では、ワイヤレス通信のための方法について説明する。一例では、本方法は、複数のコンポーネントキャリアのうちの第１のアップリンクコンポーネントキャリアがＵＥのために構成されたかどうかを決定することと、第１のアップリンクコンポーネントキャリアが共有無線周波数スペクトル帯域上で送信されると決定することと、決定することに少なくとも部分的に基づいて、現在サブフレーム（current subframe）について、第１のアップリンクコンポーネントキャリアに対して電力管理動作を実行する（perform）こととを含む。
【００１０】
[0010]  本方法のいくつかの例では、電力管理動作を実行することは、第１のアップリンクコンポーネントキャリア上の送信電力を最小保証電力（minimum guaranteed power）以上に維持することを含み得る。いくつかの例では、最小保証電力は、第１のアップリンクコンポーネントキャリア上で送信されるチャネルタイプ（channel type）またはアップリンク情報タイプ（uplink information type）に依存（depend）し得る。いくつかの例では、本方法は、現在サブフレーム中に（during the current subframe）第１のアップリンクコンポーネントキャリア上で物理アップリンク制御チャネル（ＰＵＣＣＨ：physical uplink control channel）または物理アップリンク共有チャネル（ＰＵＳＣＨ：physical uplink shared channel）のうちの少なくとも１つをスケジュールすることを含み得る。いくつかの例では、最小保証電力はＰＵＣＣＨ最小保証電力成分（minimum guaranteed power component）およびＰＵＳＣＨ最小保証電力成分のうちの少なくとも１つを含み得、ＰＵＣＣＨ最小保証電力成分はＰＵＳＣＨ最小保証電力成分よりも大きいことがある。
【００１１】
[0011]  本方法のいくつかの例では、電力管理動作を実行することは、現在サブフレームについて、第１のアップリンクコンポーネントキャリア上の送信電力を低減された電力（reduced power）にスケーリング（scaling）することを含み得る。いくつかの例では、本方法は、現在サブフレームの後にくる少なくとも１つの後続サブフレーム（subsequent subframe）について、第１のアップリンクコンポーネントキャリア上の最大送信電力として、低減された電力を使用することを含み得る。いくつかの例では、少なくとも１つの後続サブフレームは、現在サブフレームと後続フレーム（subsequent subframe）の境界（boundary）との間の少なくとも１つのアップリンクサブフレーム（uplink subframe）を含み得る。いくつかの例では、本方法は、現在サブフレームと後続フレームの境界との間のいくつかのアップリンクサブフレームのうちの少なくとも１つについて、第１のアップリンクコンポーネントキャリア上の送信をドロップすることを含み得る。いくつかの例では、スケーリングすることはしきい値電力低減（threshold power reduction）を上回り得、本方法は、現在サブフレームと後続フレームの境界との間のいくつかのアップリンクサブフレームのうちの少なくとも１つについて、第１のアップリンクコンポーネントキャリア上の送信をドロップすることを含み得る。
【００１２】
[0012]  本方法のいくつかの例では、電力管理動作を実行することは、現在サブフレームに先行するサブフレーム中に第１のアップリンクコンポーネントキャリア上の送信電力を使用することを含み得る。送信電力は、現在サブフレームについて、第１のアップリンクコンポーネントキャリア上の最大送信電力であり得る。
【００１３】
[0013]  本方法のいくつかの例では、電力管理動作を実行することは、現在サブフレームについて、第１のアップリンクコンポーネントキャリア上の送信をドロップすることを含み得る。いくつかの例では、本方法は、現在サブフレームと後続フレームの境界との間のいくつかのアップリンクサブフレームのうちの少なくとも１つについて、第１のアップリンクコンポーネントキャリア上の送信をドロップすることを含み得る。いくつかの例では、本方法は、現在サブフレームと後続フレームの境界との間のいくつかのアップリンクサブフレームのうちの少なくとも１つについて、第１のアップリンクコンポーネントキャリア上の送信をドロップすることを含み得る。いくつかの例では、本方法は、共有無線周波数スペクトル帯域のためのＣＣＡを実行することを含み得る。ＣＣＡは、現在サブフレームの後にくる少なくとも１つの後続アップリンクサブフレーム（subsequent uplink subframe）について実行され得る。
【００１４】
[0014]  いくつかの例では、本方法は、現在サブフレームについて、第１のアップリンクコンポーネントキャリアのための第１のアップリンクスケジューリング（uplink scheduling）を受信することと、現在サブフレームについて、第１のアップリンクコンポーネントキャリアのための第２のアップリンクスケジューリングを受信することとを含み得る。いくつかの例では、本方法は、電力管理動作を実行することに少なくとも部分的に基づいて第２のアップリンクスケジューリングを使用することを含み得る。いくつかの例では、本方法は、電力管理動作の状態に少なくとも部分的に基づいて第１のアップリンクスケジューリングまたは第２のアップリンクスケジューリングを使用することを含み得る。いくつかの例では、電力管理動作を実行することは、現在サブフレームについて、第１のアップリンクコンポーネントキャリア上の送信電力を低減された電力にスケーリングすることと、スケーリングすることがしきい値電力低減を上回らないとき、第１のアップリンクスケジューリングを使用することと、スケーリングすることがしきい値電力低減を上回るとき、第２のアップリンクスケジューリングを使用することとを含み得る。
【００１５】
[0015]  本方法のいくつかの例では、複数のコンポーネントキャリアは、共有無線周波数スペクトル帯域上で送信される第２のアップリンクコンポーネントキャリアを含み得る。本方法のいくつかの例では、複数のコンポーネントキャリアは、認可無線周波数スペクトル帯域上で送信される第２のアップリンクコンポーネントキャリアを含み得る。本方法のいくつかの例では、複数のコンポーネントキャリアはＵＥのためのキャリアアグリゲーション動作（carrier aggregation operation）のために構成され得る。本方法のいくつかの例では、複数のコンポーネントキャリアはＵＥのためのデュアル接続性動作（dual-connectivity operation）のために構成され得る。
【００１６】
[0016]  一例では、ワイヤレス通信のための装置について説明する。一例では、本装置は、ＵＥのために構成された複数のコンポーネントキャリアのうちの第１のアップリンクコンポーネントキャリアを識別する（identify）ための手段と、第１のアップリンクコンポーネントキャリアが共有無線周波数スペクトル帯域上で送信されると決定するための手段と、決定することに少なくとも部分的に基づいて、現在サブフレームについて、第１のアップリンクコンポーネントキャリアに対して電力管理動作を実行するための手段とを含み得る。
【００１７】
[0017]  一例では、ワイヤレス通信のための別の装置について説明する。一例では、本装置は、プロセッサと、プロセッサと電子通信しているメモリとを含み得る。プロセッサおよびメモリは、ＵＥのために構成された複数のコンポーネントキャリアのうちの第１のアップリンクコンポーネントキャリアを識別することと、第１のアップリンクコンポーネントキャリアが共有無線周波数スペクトル帯域上で送信されると決定することと、決定することに少なくとも部分的に基づいて、現在サブフレームについて、第１のアップリンクコンポーネントキャリアに対して電力管理動作を実行することとを行うように構成され得る。
【００１８】
[0018]  いくつかの例では、本装置は、第１のアップリンクコンポーネント上の送信電力を維持し得る。いくつかの例では、最小保証電力は、第１のアップリンクコンポーネントキャリア上で送信されるチャネルタイプまたはアップリンク情報タイプに依存する。いくつかの例では、本装置は、現在サブフレームについて、第１のアップリンクコンポーネントキャリア上の送信電力を低減された電力にスケーリングし得る。いくつかの例では、本装置は、現在サブフレームの後にくる少なくとも１つの後続サブフレームについて、第１のアップリンクコンポーネントキャリア上の最大送信電力として、低減された電力を使用し得る。
【００１９】
[0019]  一例では、ワイヤレス通信のためのコンピュータ実行可能コード（computer-executable code）を記憶する（store）非一時的コンピュータ可読媒体（non-transitory computer-readable medium）について説明する。一例では、コードは、ＵＥのために構成された複数のコンポーネントキャリアのうちの第１のアップリンクコンポーネントキャリアを識別することと、第１のアップリンクコンポーネントキャリアが共有無線周波数スペクトル帯域上で送信されると決定することと、決定することに少なくとも部分的に基づいて、現在サブフレームについて、第１のアップリンクコンポーネントキャリアに対して電力管理動作を実行することとを行うためにプロセッサによって実行可能であり得る。いくつかの例では、コードはまた、例示的な例の第１のセットに関して上記で説明したワイヤレス通信のための方法の１つまたは複数の態様を実装するために使用され得る。
【００２０】
[0020]  上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２１】
[0021]  本発明の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２２】
【図１】[0022]  本開示の様々な態様による、ワイヤレス通信システムの一例を示す図。
【図２】[0023]  本開示の様々な態様による、ＬＴＥ（登録商標）／ＬＴＥ−Ａが、共有無線周波数スペクトル帯域を使用して異なるシナリオの下で展開され得るワイヤレス通信システムを示す図。
【図３】[0024]  本開示の様々な態様による、ＬＴＥ／ＬＴＥ−Ａがキャリアアグリゲーションシナリオにおいて展開され得るワイヤレス通信システムを示す図。
【図４】[0025]  本開示の様々な態様による、ＬＴＥ／ＬＴＥ−Ａがデュアル接続性シナリオにおいて展開され得るワイヤレス通信システムを示す図。
【図５】[0026]  本開示の様々な態様による、共有無線周波数スペクトル帯域上でのワイヤレス通信の一例を示す図。
【図６】[0027]  本開示の様々な態様による、ワイヤレス通信において使用するための装置のブロック図。
【図７】[0028]  本開示の様々な態様による、ワイヤレス通信において使用するための装置のブロック図。
【図８】[0029]  本開示の様々な態様による、ワイヤレス通信において使用するためのＵＥのブロック図。
【図９】[0030]  本開示の様々な態様による、ワイヤレス通信において使用するための基地局（たとえば、ｅＮＢの一部または全部を形成する基地局）のブロック図。
【図１０】[0031]  本開示の様々な態様による、基地局とＵＥとを含む多入力多出力（ＭＩＭＯ）通信システムのブロック図。
【図１１】[0032]  本開示の様々な態様による、ワイヤレス通信のための方法の一例を示すフローチャート。
【図１２】[0033]  本開示の様々な態様による、ワイヤレス通信のための方法の一例を示すフローチャート。
【図１３】[0034]  本開示の様々な態様による、ワイヤレス通信のための方法の一例を示すフローチャート。
【図１４】[0035]  開示の様々な態様による、ワイヤレス通信のための方法の一例を示すフローチャート。
【図１５】[0036]  本開示の様々な態様による、ワイヤレス通信のための方法の一例を示すフローチャート。
【発明を実施するための形態】
【００２３】
[0037]  共有無線周波数スペクトル帯域がワイヤレス通信システム上での通信の少なくとも一部分のために使用される技法について説明する。いくつかの例では、共有無線周波数スペクトル帯域は、ロングタームエボリューション（ＬＴＥ）通信またはＬＴＥアドバンスト（ＬＴＥ−Ａ）通信のために使用され得る。共有無線周波数スペクトル帯域は、認可無線周波数スペクトル帯域と組み合わせて、またはそれとは無関係に使用され得る。いくつかの例では、共有無線周波数スペクトル帯域は、無線周波数スペクトル帯域が、少なくとも部分的に、Ｗｉ−Ｆｉ（登録商標）使用など、無認可使用（unlicensed use）のために、利用可能であるので、デバイスがそれのためにアクセスを求めて競合する必要があり得る、無線周波数スペクトル帯域（radio frequency spectrum band）であり得る。
【００２４】
[0038]  認可無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者）に拡張データ送信容量（enhanced data transmission capacity）のための機会を与え得る。共有無線周波数スペクトル帯域の使用はまた、認可無線周波数スペクトル帯域へのアクセスが利用不可能であるエリア中でサービスを与え得る。上述のように、共有無線周波数スペクトル帯域上で通信する前に、送信装置は、媒体へのアクセスを獲得するためにＬＢＴプロシージャを実行し得る。そのようなＬＢＴプロシージャは、共有無線周波数スペクトル帯域のチャネルが利用可能であるかどうかを決定するために、ＣＣＡプロシージャ（または拡張ＣＣＡプロシージャ）を実行することを含み得る。共有無線周波数スペクトル帯域のチャネルが利用可能であると決定されたとき、ＣＵＢＳが、チャネルを予約するために送信され得る。チャネルが利用可能でないと決定されたとき、そのチャネルのためのＣＣＡプロシージャ（または拡張ＣＣＡプロシージャ）が、後で再び実行され得る。
【００２５】
[0039]  共有無線周波数スペクトル帯域へのアクセスを求める競合に勝った後、ＵＥは、送信が行われるべきである規定された時間の持続時間の間共有無線周波数スペクトル帯域へのアクセスを維持することが望ましいことがある。ＵＥが共有無線周波数スペクトル帯域へのアクセスを失うとき、ＵＥがいつ共有無線周波数スペクトル帯域へのアクセスを再獲得し得るかに関して不確実性があり得る。ＬＴＥ／ＬＴＥ−Ａネットワークにおいてアップリンクコンポーネントキャリア上で現在使用される電力管理動作は、キャリアアグリゲーションモードで動作しているとき、時々、アップリンクコンポーネントキャリア上の送信がドロップされることにつながる電力スケーリングおよび／または他の電力管理動作を生じることがある。電力スケーリングが優先度を付けられ、物理アップリンク制御チャネル（ＰＵＣＣＨ）を搬送するアップリンクコンポーネントキャリア上の電力保存（power preservation）が、アップリンク制御情報（ＵＣＩ：uplink control information）をもつ物理アップリンク共有チャネル（ＰＵＳＣＨ）を搬送するコンポーネントキャリア上の電力保存よりも選好され、ＵＣＩをもつＰＵＳＣＨを搬送するアップリンクコンポーネントキャリア上の電力保存が、ＵＣＩをもたないＰＵＳＣＨを搬送するアップリンクコンポーネントキャリア上の電力保存よりも選好され得るので、いくつかのアップリンクコンポーネントキャリア上の送信は、他のものよりもドロップされる危険がより高い。ＬＴＥ／ＬＴＥ−Ａネットワークを介してデュアル接続性動作モードで動作しているとき、異なる基地局に関連するコンポーネントキャリアのグループは、それぞれの最小保証送信電力（minimum guaranteed transmit power）で構成され、ある程度の残留送信電力量（residual transmit power）がアップリンクコンポーネントキャリアの異なるグループの間で共有可能であり得る。これは、基地局の各々に接続性を与えることができる。しかしながら、電力スケーリングは、もう一度、個々のコンポーネントキャリアの間で優先度を付けられ、肯定応答（ＡＣＫ）、否定応答（ＮＡＫ）、またはスケジューリング要求（ＳＲ：scheduling request）を搬送するコンポーネントキャリア上の電力保存が、チャネル状態情報（ＣＳＩ：channel state information）を搬送するアップリンクコンポーネントキャリア上の電力保存よりも選好され、ＣＳＩを搬送するアップリンクコンポーネントキャリア上の電力保存が、ＵＣＩを搬送しないアップリンクコンポーネント上の電力保存よりも選好され得る。同じく、いくつかのアップリンクコンポーネントキャリア上の送信は、ドロップされる危険がより高い。
【００２６】
[0040]  共有無線周波数スペクトル帯域を使用するＬＴＥ／ＬＴＥ−Ａネットワークでは、共有無線周波数スペクトル帯域へのアクセスが再び獲得（reacquire）される必要がないように、ドロップされた送信の周波数を緩和することは有用であり得る。また、共有無線周波数スペクトル帯域上の一定の送信電力を維持すること、および／または制御された安定した様式で共有無線周波数スペクトル帯域上の送信電力を変更することは有用であり得る。
【００２７】
[0041]  以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２８】
[0042]  図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク（backhaul link）１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接的または間接的に（たとえば、コアネットワーク１３０を通して）通信し得る。
【００２９】
[0043]  基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３０】
[0044]  いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル（cell）」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３１】
[0045]  マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、認可、共有などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３２】
[0046]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００３３】
[0047]  様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３４】
[0048]  ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３５】
[0049]  ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。いくつかの例では、ＵＬ送信はアップリンク制御情報の送信を含み得、アップリンク制御情報はアップリンク制御チャネル（たとえば、物理アップリンク制御チャネル（ＰＵＣＣＨ）または拡張ＰＵＣＣＨ（ｅＰＵＣＣＨ））上で送信され得る。アップリンク制御情報は、たとえば、ダウンリンク送信の肯定応答または否定応答、あるいはチャネル状態情報を含み得る。ＵＬ送信はデータの送信をも含み得、データは、物理アップリンク共有チャネル（ＰＵＳＣＨ）または拡張ＰＵＳＣＨ（ｅＰＵＳＣＨ）上で送信され得る。ＵＬ送信は、サウンディング基準信号（ＳＲＳ：sounding reference signal）または拡張ＳＲＳ（ｅＳＲＳ）、（たとえば、図２を参照しながら説明するスタンドアロンモード（standalone mode）または図４を参照しながら説明するデュアル接続性モードでの）物理ランダムアクセスチャネル（ＰＲＡＣＨ）または拡張ＰＲＡＣＨ（ｅＰＲＡＣＨ）、あるいは（たとえば、図２を参照しながら説明するスタンドアロンモードでの）スケジューリング要求（ＳＲ）または拡張ＳＲ（ｅＳＲ）の送信をも含み得る。ＰＵＣＣＨ、ＰＵＳＣＨ、ＰＲＡＣＨ、ＳＲＳ、またはＳＲへの本開示における言及は、それぞれのｅＰＵＣＣＨ、ｅＰＵＳＣＨ、ｅＰＲＡＣＨ、ｅＳＲＳ、またはｅＳＲへの言及を本質的に含むと推定される。
【００３６】
[0050]  いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００３７】
[0051]  ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３８】
[0052]  ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ：component carrier）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３９】
[0053]  ＬＴＥ／ＬＴＥ−Ａネットワークでは、ＵＥ１１５は、キャリアアグリゲーションモードまたはデュアル接続性モードで動作しているとき、最高５つのコンポーネントキャリアを使用して通信するように構成され得る。２つまたはそれ以上のコンポーネントキャリアを使用して通信するとき、ＵＥ１１５は、コンポーネントキャリアごとの送信電力、ならびに総送信電力（たとえば、使用中のコンポーネントキャリアの組合せのための最大送信電力）を割り振られ得る。時々、使用中の様々なコンポーネントキャリアの送信電力の合計は、総送信電力を超え得る。これらの場合、ＵＥ１１５は、使用中の様々なコンポーネントキャリアの送信電力の合計を総送信電力内にするために電力スケーリングを採用し得る。
【００４０】
[0054]  いくつかの例では、ワイヤレス通信システム１００は、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または共有無線周波数スペクトル帯域（たとえば、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域）上での動作をサポートし得る。共有無線周波数スペクトル帯域へのアクセスを求める競合に勝つと、送信装置（たとえば、基地局１０５またはＵＥ１１５）は、共有無線周波数スペクトル帯域上で１つまたは複数のＣＵＢＳを送信し得る。ＣＵＢＳは、共有無線周波数スペクトル帯域上で検出可能なエネルギーを与えることによって、共有無線周波数スペクトルを予約し得る。ＣＵＢＳはまた、送信装置を識別するように働くか、または送信装置と受信装置とを同期させるように働き得る。いくつかの例では、ＣＵＢＳ送信はシンボル期間境界（symbol period boundary）（たとえば、ＯＦＤＭシンボル期間境界）において開始し得る。他の例では、ＣＵＢＳ送信はシンボル期間境界間で開始し得る。これらの後者の例では、ＣＵＢＳの一部分、ＣＵＢＳのその部分はフルシンボル期間よりも短い長さを有する、の送信は、隣接するトーン上の１つまたは複数の送信（たとえば、隣接するトーン上の他の装置の１つまたは複数の送信）に干渉する非直交送信を与え得る。
【００４１】
[0055]  図２に、本開示の様々な態様による、ＬＴＥ／ＬＴＥ−Ａが、共有無線周波数スペクトル帯域を使用して異なるシナリオの下で展開され得るワイヤレス通信システム２００を示す。より詳細には、図２は、ＬＴＥ／ＬＴＥ−Ａが共有無線周波数スペクトル帯域を使用して展開される、（共有ダウンリンクモード（shared downlink mode）とも呼ばれる）補足ダウンリンクモード（supplemental downlink mode）と、キャリアアグリゲーションモードと、スタンドアロンモードとの例を示している。ワイヤレス通信システム２００は、図１を参照しながら説明したワイヤレス通信システム１００の部分の一例であり得る。その上、第１の基地局２０５および第２の基地局２０５−ａは、図１を参照しながら説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であり得る。
【００４２】
[0056]  ワイヤレス通信システム２００における補足ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトル帯域における周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、認可無線周波数スペクトル帯域における周波数Ｆ４に関連し得る。共有無線周波数スペクトル帯域におけるダウンリンクチャネル２２０および認可無線周波数スペクトル帯域における第１の双方向リンク２２５は、同時に動作し得る。ダウンリンクチャネル２２０はダウンリンク容量オフロード（downlink capacity offload）を第１の基地局２０５に与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、認可無線周波数スペクトルを使用し、トラフィックまたはシグナリング輻輳（traffic or signaling congestion）の一部を軽減する必要がある、サービスプロバイダ（たとえば、モバイルネットワーク事業者（ＭＮＯ：mobile network operator））に関して生じ得る。
【００４３】
[0057]  ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトル帯域における周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域における周波数Ｆ２に関連し得る。第２の双方向リンク２３０は、第１の基地局２０５にダウンリンクおよびアップリンク容量オフロード（downlink and uplink capacity offload）を与え得る。上記で説明した補足ダウンリンクのように、このシナリオは、認可無線周波数スペクトルを使用し、トラフィックまたはシグナリング輻輳の一部を軽減する必要がある、任意のサービスプロバイダ（たとえば、ＭＮＯ）に関して生じ得る。
【００４４】
[0058]  ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形（resource block interleaved waveform）を受信し得る。第４の双方向リンク２４０は、共有無線周波数スペクトル帯域における周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域における周波数Ｆ２に関連し得る。第４の双方向リンク２４０は、ダウンリンクおよびアップリンク容量オフロードを第１の基地局２０５に与え得る。この例および上記で与えた例は説明の目的で提示され、容量オフロード（capacity offload）のために、認可無線周波数スペクトル帯域におけるＬＴＥ／ＬＴＥ−Ａを組み合わせ、共有無線周波数スペクトル帯域を使用する他の同様の動作モードまたは展開シナリオがあり得る。
【００４５】
[0059]  上記で説明したように、共有無線周波数スペクトル帯域におけるＬＴＥ／ＬＴＥ−Ａを使用することによって提供される容量オフロードから恩恵を受け得る１つのタイプのサービスプロバイダは、認可無線周波数スペクトル帯域ＬＴＥ／ＬＴＥ−Ａへのアクセス権利を有する旧来のＭＮＯである。これらのサービスプロバイダの場合、動作例は、認可無線周波数スペクトル帯域上のＬＴＥ／ＬＴＥ−Ａ１次コンポーネントキャリア（ＰＣＣ：primary component carrier）と共有無線周波数スペクトル帯域上の少なくとも１つの２次コンポーネントキャリア（ＳＣＣ：secondary component carrier）とを使用するブートストラップモード（bootstrapped mode）（たとえば、補足ダウンリンク、キャリアアグリゲーション）を含み得る。
【００４６】
[0060]  キャリアアグリゲーションモードでは、データおよび制御は、たとえば、認可無線周波数スペクトル帯域において（たとえば、第１の双方向リンク２２５、第３の双方向リンク２３５、および第５の双方向リンク２４５を介して）通信され得るが、データは、たとえば、共有無線周波数スペクトル帯域において（たとえば、第２の双方向リンク２３０および第４の双方向リンク２４０を介して）通信され得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。
【００４７】
[0061]  ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、認可無線周波数スペクトル帯域へのアクセスを有しない、スタジアム所有者、ケーブル会社、イベント主催者、ホテル、企業、または大企業であり得る。
【００４８】
[0062]  図３に、本開示の様々な態様による、ＬＴＥ／ＬＴＥ−Ａがキャリアアグリゲーションシナリオにおいて展開され得るワイヤレス通信システム３００を示す。ワイヤレス通信システム３００は、図１または図２を参照しながら説明したワイヤレス通信システム１００または２００の部分の一例であり得る。その上、基地局３０５は、図１または図２を参照しながら説明した基地局１０５、２０４、または２０５−ａのうちの１つまたは複数の態様の一例であり得、ＵＥ３１５は、図１または図２を参照しながら説明したＵＥ１１５、２１５、２１５−ａ、２１５−ｂ、または２１５−ｃのうちの１つまたは複数の態様の一例であり得る。
【００４９】
[0063]  ＬＴＥ／ＬＴＥ−Ａ通信を使用してキャリアアグリゲーションモードで通信するとき、ＵＥ３１５は、最高５つのコンポーネントキャリアを使用して基地局３０５と通信し得る。コンポーネントキャリアのうちの１つは１次コンポーネントキャリアに指定され得、残りのコンポーネントキャリアは２次コンポーネントキャリアに指定され得る。各コンポーネントキャリアは、ダウンリンクコンポーネントキャリア、アップリンクコンポーネントキャリア、またはセル（たとえば、ダウンリンクコンポーネントキャリアおよび／またはアップリンクコンポーネントキャリアとして使用するために構成され得るコンポーネントキャリア）として構成され得る。例として、図３は、第１のダウンリンクコンポーネントキャリア３２０と、第２のダウンリンクコンポーネントキャリア３２５と、第３のダウンリンクコンポーネントキャリア３３０と、第１のアップリンクコンポーネントキャリア３３５と、第２のアップリンクコンポーネントキャリア３４０とを含む、５つのコンポーネントキャリア上でのＵＥ３１５と基地局３０５との間の通信を示している。第１のダウンリンクコンポーネントキャリア３２０、第２のダウンリンクコンポーネントキャリア３２５、第３のダウンリンクコンポーネントキャリア３３０、第１のアップリンクコンポーネントキャリア３３５、および第２のアップリンクコンポーネントキャリア３４０の各々は、コンポーネントキャリアがどのように割り振られるか、または構成されるかに応じて、認可無線周波数スペクトル帯域または共有無線周波数スペクトル帯域において動作し得る。
【００５０】
[0064]  ＵＥ３１５が、図２を参照しながら説明したように、共有無線周波数スペクトル帯域を使用する補足ダウンリンク動作モードでの動作のために構成されたとき、およびＵＥ３１５がキャリアアグリゲーションモードで動作しているとき、第１のダウンリンクコンポーネントキャリア３２０、第２のダウンリンクコンポーネントキャリア３２５、および第３のダウンリンクコンポーネントキャリア３３０のうちの１つまたは複数は、認可無線周波数スペクトル帯域において動作し得、第１のダウンリンクコンポーネントキャリア３２０、第２のダウンリンクコンポーネントキャリア３２５、および第３のダウンリンクコンポーネントキャリア３３０のうちの１つまたは複数は、共有無線周波数スペクトル帯域において動作し得、第１のアップリンクコンポーネントキャリア３３５および第２のアップリンクコンポーネントキャリア３４０は、認可無線周波数スペクトル帯域において動作し得る。
【００５１】
[0065]  ＵＥ３１５が、図２を参照しながら説明したように、共有無線周波数スペクトル帯域を使用するキャリアアグリゲーション動作モードでの動作のために構成されたとき、第１のダウンリンクコンポーネントキャリア３２０、第２のダウンリンクコンポーネントキャリア３２５、および第３のダウンリンクコンポーネントキャリア３３０のうちの１つまたは複数は、認可無線周波数スペクトル帯域において動作し得、第１のダウンリンクコンポーネントキャリア３２０、第２のダウンリンクコンポーネントキャリア３２５、および第３のダウンリンクコンポーネントキャリア３３０のうちの１つまたは複数は、共有無線周波数スペクトル帯域で動作し得、第１のアップリンクコンポーネントキャリア３３５および第２のアップリンクコンポーネントキャリア３４０のうちの１つまたは複数は、認可無線周波数スペクトル帯域において動作し得、第１のアップリンクコンポーネントキャリア３３５および第２のアップリンクコンポーネントキャリア３４０のうちの１つまたは複数は、共有無線周波数スペクトル帯域において動作し得る。いくつかの例では、ダウンリンクコンポーネントキャリアのすべてが認可無線周波数スペクトル帯域において動作し得るか、またはアップリンクコンポーネントキャリアのすべてが共有無線周波数スペクトル帯域において動作し得るが、ダウンリンクコンポーネントキャリアのすべておよびアップリンクコンポーネントキャリアのすべてが、共有無線周波数スペクトル帯域において動作するとは限らない（たとえば、少なくとも１つのダウンリンクコンポーネントキャリアまたは少なくとも１つのアップリンクコンポーネントキャリアが認可無線周波数スペクトル帯域において動作する）。
【００５２】
[0066]  ＵＥ３１５が、図２を参照しながら説明したように、共有無線周波数スペクトル帯域を使用するスタンドアロン動作モード（standalone mode of operation）での動作のために構成されたとき、およびＵＥ３１５がキャリアアグリゲーションモードで動作しているとき、第１のダウンリンクコンポーネントキャリア３２０、第２のダウンリンクコンポーネントキャリア３２５、第３のダウンリンクコンポーネントキャリア３３０、第１のアップリンクコンポーネントキャリア３３５、および第２のアップリンクコンポーネントキャリア３４０のすべてが、共有無線周波数スペクトル帯域で動作し得る。
【００５３】
[0067]  図４に、本開示の様々な態様による、ＬＴＥ／ＬＴＥ−Ａがデュアル接続性シナリオにおいて展開され得るワイヤレス通信システム４００を示す。ワイヤレス通信システム４００は、図１、図２、または図３を参照しながら説明したワイヤレス通信システム１００、２００、または３００の部分の一例であり得る。その上、第１の基地局４０５および第２の基地局４０５−ａは、図１または図２を参照しながら説明した基地局１０５、２０４、２０５−ａ、または３０５のうちの１つまたは複数の態様の例であり得、ＵＥ４１５は、図１、図２、または図３を参照しながら説明したＵＥ１１５、２１５、２１５−ａ、２１５−ｂ、２１５−ｃ、３１５のうちの１つまたは複数の態様の一例であり得る。
【００５４】
[0068]  ＬＴＥ／ＬＴＥ−Ａ通信を使用してデュアル接続性モードで通信するとき、ＵＥ４１５は、最高５つのコンポーネントキャリアを使用して、第１の基地局４０５および第２の基地局４０５−ａなどの複数の基地局と通信し得る。コンポーネントキャリアのうちの１つは１次コンポーネントキャリアに指定され得、残りのコンポーネントキャリアは２次コンポーネントキャリアに指定され得る。各コンポーネントキャリアは、ダウンリンクコンポーネントキャリア、アップリンクコンポーネントキャリア、またはセル（たとえば、ダウンリンクコンポーネントキャリアおよび／またはアップリンクコンポーネントキャリアとして使用するために構成され得るコンポーネントキャリア）として構成され得る。例として、図４は、第１のコンポーネントキャリア４２０と、第２のコンポーネントキャリア４２５と、第３のコンポーネントキャリア４３０とを含む、３つのコンポーネントキャリア上でのＵＥ４１５と基地局４０５との間の通信を示している。第１のコンポーネントキャリア４２０、第２のコンポーネントキャリア４２５、および第３のコンポーネントキャリア４３０は、たとえば、図３を参照しながら説明したように、コンポーネントキャリアがどのようにキャリアアグリゲーション動作モードで使用され得るかと同様に、認可無線周波数スペクトル帯域または共有無線周波数スペクトル帯域を使用する様々な動作モードのために構成され得る。
【００５５】
[0069]  いくつかの例では、図１、図２、図３、または図４を参照しながら説明した基地局１０５、２０５、２０５−ａ、３０５、４０５、または４０５−ａのうちの１つ、あるいは図１、図２、図３、または図４を参照しながら説明したＵＥ１１５、２１５、２１５−ａ、２１５−ｂ、２１５−ｃ、３１５、または４１５のうちの１つなどの送信装置は、共有無線周波数スペクトル帯域のチャネルへの（たとえば、共有無線周波数スペクトル帯域の物理チャネルへの）アクセスを獲得するためにゲーティング間隔（gating interval）を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期し得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャなどの競合プロシージャ（たとえば、ＬＢＴプロシージャ）をいつ実行する必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア（clear）」）であることをＣＣＡプロシージャが示すとき、送信装置は、ＬＢＴ無線フレームの一部または全部の間に共有無線周波数スペクトル帯域のチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００５６】
[0070]  図５に、本開示の様々な態様による、共有無線周波数スペクトル帯域上でのワイヤレス通信５１０の一例５００を示す。いくつかの例では、ワイヤレス通信５１０は、１つまたは複数のアップリンクコンポーネントキャリアの送信を含み得、（１つまたは複数の）アップリンクコンポーネントキャリアは、たとえば、図２を参照しながら説明した補足ダウンリンクモード、キャリアアグリゲーションモード、またはスタンドアロンモード、図３を参照しながら説明したキャリアアグリゲーションモード、および／または図４を参照されながら説明したデュアル接続性モードに従って行われる送信の一部として、送信され得る。
【００５７】
[0071]  いくつかの例では、ワイヤレス通信５１０のＬＢＴ無線フレーム５１５は、１０ミリ秒の持続時間を有し、いくつかのダウンリンク（Ｄ）サブフレーム５２０と、いくつかのアップリンク（Ｕ）サブフレーム５２５と、２つのタイプのスペシャルサブフレーム、Ｓサブフレーム５３０およびＳ’サブフレーム５３５とを含み得る。Ｓサブフレーム５３０は、ダウンリンクサブフレーム５２０とアップリンクサブフレーム５２５との間の遷移を与え得るが、Ｓ’サブフレーム５３５は、アップリンクサブフレーム５２５とダウンリンクサブフレーム５２０との間の遷移、いくつかの例では、ＬＢＴ無線フレーム間の遷移を与え得る。
【００５８】
[0072]  Ｓ’サブフレーム５３５中に、ダウンリンククリアチャネルアセスメント（ＤＣＣＡ：downlink clear channel assessment）プロシージャ５４５が、ある時間期間の間、それの上でワイヤレス通信５１０が行われる共有無線周波数スペクトル帯域のチャネルを予約するために、図１または図２を参照しながら説明した基地局１０５、２０５、または２０５−ａのうちの１つまたは複数など、１つまたは複数の基地局によって実行され得る。基地局による成功したＤＣＣＡプロシージャ５４５に続いて、基地局は、基地局がチャネルを予約したという指示を他の基地局または装置（たとえば、ＵＥ、Ｗｉ−Ｆｉアクセスポイントなど）に与えるために、チャネル使用ビーコン信号（ＣＵＢＳ）（たとえば、ダウンリンクＣＵＢＳ（Ｄ−ＣＵＢＳ５５０））を送信し得る。いくつかの例では、Ｄ−ＣＵＢＳ５５０は、複数のインターリーブリソースブロック（interleaved resource block）を使用して送信され得る。このようにしてＤ−ＣＵＢＳ５５０を送信することは、Ｄ−ＣＵＢＳ５５０が、共有無線周波数スペクトル帯域の利用可能な周波数帯域幅の少なくともある割合を占有し、１つまたは複数の規制上の要件（たとえば、共有無線周波数スペクトル帯域上の送信が利用可能な周波数帯域幅の少なくとも８０％を占有する要件）を満たすことを可能にし得る。Ｄ−ＣＵＢＳ５５０は、いくつかの例では、ＬＴＥ／ＬＴＥ−Ａ  ＣＲＳまたはチャネル状態情報基準信号（ＣＳＩ−ＲＳ）の形態と同様の形態をとり得る。ＤＣＣＡプロシージャ５４５が失敗したとき、Ｄ−ＣＵＢＳ５５０は送信されないことがある。
【００５９】
[0073]  Ｓ’サブフレーム５３５は、複数のＯＦＤＭシンボル期間（たとえば、１４個のＯＦＤＭシンボル期間）を含み得る。Ｓ’サブフレーム５３５の第１の部分は、短縮されたアップリンク（Ｕ）期間として、いくつかのＵＥによって使用され得る。Ｓ’サブフレーム５３５の第２の部分は、ＤＣＣＡプロシージャ５４５のために使用され得る。Ｓ’サブフレーム５３５の第３の部分は、Ｄ−ＣＵＢＳ５５０を送信するために、共有無線周波数スペクトル帯域のチャネルへのアクセスを求める競合に成功した１つまたは複数の基地局によって使用され得る。
【００６０】
[0074]  Ｓサブフレーム５３０中に、アップリンクＣＣＡ（ＵＣＣＡ）プロシージャ５６５が、ある時間期間の間、それの上でワイヤレス通信５１０が行われるチャネルを予約するために、図１または図２を参照しながら上記で説明したＵＥ１１５、２１５、２１５−ａ、２１５−ｂ、または２１５−ｃのうちの１つまたは複数など、１つまたは複数のＵＥによって実行され得る。ＵＥによる成功したＵＣＣＡプロシージャ５６５に続いて、ＵＥは、ＵＥがチャネルを予約したという指示を他のＵＥまたは装置（たとえば、基地局、Ｗｉ−Ｆｉアクセスポイントなど）に与えるために、アップリンクＣＵＢＳ（Ｕ−ＣＵＢＳ５７０）を送信し得る。いくつかの例では、Ｕ−ＣＵＢＳ５７０は、複数のインターリーブリソースブロックを使用して送信され得る。このようにしてＵ−ＣＵＢＳ５７０を送信することは、Ｕ−ＣＵＢＳ５７０が、共有無線周波数スペクトル帯域の利用可能な周波数帯域幅の少なくともある割合を占有し、１つまたは複数の規制上の要件（たとえば、共有無線周波数スペクトル帯域上の送信が利用可能な周波数帯域幅の少なくとも８０％を占有する要件）を満たすことを可能にし得る。Ｕ−ＣＵＢＳ５７０は、いくつかの例では、ＬＴＥ／ＬＴＥ−Ａ  ＣＲＳまたはＣＳＩ−ＲＳの形態と同様の形態をとり得る。ＵＣＣＡプロシージャ５６５が失敗したとき、Ｕ−ＣＵＢＳ５７０は送信されないことがある。
【００６１】
[0075]  Ｓサブフレーム５３０は、複数のＯＦＤＭシンボル期間（たとえば、１４個のＯＦＤＭシンボル期間）を含み得る。Ｓサブフレーム５３０の第１の部分は、短縮されたダウンリンク（Ｄ）期間５５５として、いくつかの基地局によって使用され得る。Ｓサブフレーム５３０の第２の部分は、ガード期間（ＧＰ：guard period）５６０として使用され得る。Ｓサブフレーム５３０の第３の部分は、ＵＣＣＡプロシージャ５６５のために使用され得る。Ｓサブフレーム５３０の第４の部分は、アップリンクパイロットタイムスロット（ＵｐＰＴＳ：uplink pilot time slot）としてまたはＵ−ＣＵＢＳ５７０を送信するために、共有無線周波数スペクトル帯域のチャネルへのアクセスを求める競合に成功した１つまたは複数のＵＥによって使用され得る。
【００６２】
[0076]  いくつかの例では、ＤＣＣＡプロシージャ５４５またはＵＣＣＡプロシージャ５６５は、単一のＣＣＡプロシージャの実行を含み得る。他の例では、ＤＣＣＡプロシージャ５４５またはＵＣＣＡプロシージャ５６５は、拡張ＣＣＡプロシージャの実行を含み得る。拡張ＣＣＡプロシージャは、ランダムな数のＣＣＡプロシージャを含み得、いくつかの例では、複数のＣＣＡプロシージャを含み得る。
【００６３】
[0077]  ワイヤレス通信５１０がキャリアアグリゲーション動作モードによる１つまたは複数のアップリンクコンポーネントキャリアの送信を含むとき、電力管理動作が実行されるシナリオが起こり得る。たとえば、複数のアップリンクコンポーネントキャリアが、アップリンクサブフレームＳＦ７、ＳＦ８、またはＳＦ９のうちの１つ中に（またはＳサブフレーム５３０（たとえば、ＳＦ６）のアップリンク部分（たとえば、Ｕ−ＣＵＢＳ部分）中に）ＵＥのために構成されたとき、およびアップリンクコンポーネントキャリアの送信電力の合計が、サブフレーム中にＵＥのために許容される総送信電力を上回るとき、電力管理動作が、アップリンクコンポーネントキャリアの総送信電力を低減するために実行され得る。いくつかの例では、アップリンクコンポーネントキャリアのうちの１つまたは複数またはすべては、共有無線周波数スペクトル帯域上で（たとえば、図５を参照しながら説明したワイヤレス通信５１０の一部として）送信され得る。これらの例では、電力管理動作は、共有無線周波数スペクトル帯域上で送信されるアップリンクコンポーネントキャリアのうちの１つに対して実行され得る。例として、図５は、電力管理動作が、ワイヤレス通信５１０の一部として共有無線周波数スペクトル帯域上で送信される第１のアップリンクコンポーネントキャリアに対して実行される３つのシナリオ（たとえば、シナリオＡ、シナリオＢ、およびシナリオＣ）を示している。
【００６４】
[0078]  シナリオＡに関して、最小保証電力（たとえば、Ｍｉｎ．、０よりも大きい送信電力）が、アップリンクサブフレーム７、８、および９（ＳＦ７、ＳＦ８、およびＳＦ９）の各々において第１のアップリンクコンポーネントキャリアのために構成され得る。電力管理動作がサブフレーム７について実行される必要があるとき、第１のアップリンクコンポーネントキャリア上の送信電力は、低減された電力に低減（あるいはスケーリング）され得る。しかしながら、最小保証電力のために、送信電力が最小保証電力を下回って低減されないことがある。いくつかの例では、サブフレーム７について実行（perform）される電力管理動作は、サブフレーム７について、第１のアップリンクコンポーネントキャリア上の送信電力のみに影響を及ぼし得る。他の例では、サブフレーム７についてプリフォーム（preform）される電力管理動作は、ＬＢＴ無線フレーム５１５において少なくとも１つの（または各）後続サブフレーム（または後続アップリンクサブフレーム）に持ち越され得る。例として、シナリオＡは、サブフレーム７について実行される電力管理動作をサブフレーム８およびサブフレーム９の各々に持ち越す。
【００６５】
[0079]  シナリオＡの第１の変形形態では、サブフレーム７における第１のアップリンクコンポーネントキャリア上の電力低減は、最小保証電力を上回ったままである低減された電力を与え得る。シナリオＡの第２の変形形態では、最小保証電力は、サブフレーム７、８、または９のうちの１つまたは複数において与えられないことがある。シナリオＡの第３の変形形態では、異なるサブフレームは、異なる要求された送信電力のために、異なる電力制限状態を受け得る。一例として、第１のサブフレームは最大送信電力を３ｄＢ上回る要求された総電力を有し得、第２のサブフレームは最大送信電力を５ｄＢ上回る要求された総電力を有し得る。これらの変形形態のいずれでも、電力管理動作は、サブフレーム８またはサブフレーム９について、第１のアップリンクコンポーネントキャリアに対して実行される必要があり得る。これらの例では、第１のアップリンクコンポーネントキャリア上のさらなる電力低減が、サブフレーム８またはサブフレーム９において行われ、前のサブフレームにおける低減された電力が、後続サブフレームについて最大送信電力として働き得る（たとえば、サブフレーム７において使用される低減された電力は、サブフレーム８およびサブフレーム９の各々について最大送信電力として働き得る）。
【００６６】
[0080]  アップリンクコンポーネントキャリア上の最小保証電力の構成は、共有無線周波数スペクトル帯域上での送信が行われ得ることを保証するのに有用であり得る。共有無線周波数スペクトル帯域上での送信が行われ得ないとき、送信を行うと考えられていたＵＥは、共有無線周波数スペクトル帯域へのアクセスを求めて競合するために別のＣＣＡ（または拡張ＣＣＡ）を実行する必要があり得、ＵＥがＣＣＡに通らず、したがって、送信を遅延させ、および／またはコストがかかるオーバーヘッド（たとえば、増加した電力使用、処理遅延など）を招き得る可能性がある。現在サブフレームから後続サブフレームへの、電力管理動作の結果の持ち越しは、それが、ＵＥの近傍にある別のデバイス（たとえば、別のＵＥ、基地局、ワイヤレスアクセスポイント、Ｗｉ−Ｆｉ局など）によって行われるＣＣＡ決定の有効性を維持するのを助けるという点で有用であり得る。たとえば、第１のＵＥが現在サブフレームにおいて低減された電力で送信している間に第２のＵＥが共有無線周波数スペクトル帯域へのアクセスを求める競合に成功したが、第１のＵＥが、次いで、更新されたＣＣＡを実行することなしに後続サブフレームについてそれの送信電力を増加させた場合、後続サブフレームにおける第１のＵＥの増加した送信電力は、後続サブフレームにおける第２のＵＥの送信に干渉し得る。
【００６７】
[0081]  図５中のシナリオＢに関して、電力管理動作がサブフレーム７において第１のアップリンクコンポーネントキャリアに対して実行され、第１のアップリンクコンポーネントキャリア上の送信電力の、低減された電力への低減を生じ得る。その場合、サブフレーム７における電力低減のために、および後続サブフレームにおけるさらなる電力低減の恐れのために、第１のアップリンクコンポーネントキャリア上の送信は、サブフレーム７の後のすべてのアップリンクサブフレームについてドロップされる（たとえば、第１のアップリンクコンポーネントキャリア上の送信は、サブフレーム８およびサブフレーム９についてドロップされる）。
【００６８】
[0082]  図５中のシナリオＣに関して、第１のアップリンクコンポーネントキャリアに対する電力管理動作の必要がサブフレーム７について生じ得、電力管理動作の必要のために、第１のアップリンクコンポーネントキャリア上の送信がドロップされ得る。第１のアップリンクコンポーネントキャリア上の送信はまた、少なくとも１つの後続サブフレームについて（たとえば、サブフレーム７と次のフレーム境界との間の各アップリンクサブフレームについて）ドロップされ得る。シナリオＣにより、送信は第１のアップリンクコンポーネントキャリア上で行われないという結果になるが、シナリオＣは、一貫した電力（consistent power）がアップリンク送信の持続時間の間（たとえば、サブフレーム７、サブフレーム８、およびサブフレーム９の各々について）維持されることを保証する。
【００６９】
[0083]  図５中のシナリオＡ、Ｂ、およびＣは例示的であり、共有無線周波数スペクトル帯域上で送信されるアップリンクコンポーネントキャリアに対して電力管理動作を実行するための他の技法について、本開示で説明する。
【００７０】
[0084]  図６に、本開示の様々な態様による、ワイヤレス通信において使用するための装置６１５のブロック図６００を示す。装置６１５は、図１、図２、図３、または図４を参照しながら説明したＵＥ１１５、２１５、２１５−ａ、２１５−ｂ、２１５−ｃ、３１５、または４１５のうちの１つまたは複数の態様の一例であり得る。装置６１５はまた、プロセッサであるか、またはプロセッサを含み得る。装置６１５は、受信機構成要素（receiver component）６１０、ワイヤレス通信管理構成要素（wireless communication management component）６２０、または送信機構成要素（transmitter component）６３０を含み得る。これらの構成要素の各々は互いと通信していることがある。
【００７１】
[0085]  装置６１５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００７２】
[0086]  いくつかの例では、受信機構成要素６１０は、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または共有無線周波数スペクトル帯域（たとえば、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域）上での送信を受信するように動作可能な少なくとも１つの無線周波数（ＲＦ：radio frequency）受信機など、少なくとも１つのＲＦ受信機を含み得る。いくつかの例では、認可無線周波数スペクトル帯域または共有無線周波数スペクトル帯域が、たとえば、図１、図２、図３、または図４を参照しながら説明したように、ＬＴＥ／ＬＴＥ−Ａ通信のために使用され得る。受信機構成要素６１０は、図１、図２、図３、または図４を参照しながら説明したワイヤレス通信システム１００、２００、３００、または４００の１つまたは複数の通信リンクなど、ワイヤレス通信システムの１つまたは複数の通信リンク上で様々なタイプのデータまたは制御信号（すなわち、送信）を受信するために使用され得る。通信リンクは、認可無線周波数スペクトル帯域または共有無線周波数スペクトル帯域上で確立され得る。
【００７３】
[0087]  いくつかの例では、送信機構成要素６３０は、認可無線周波数スペクトル帯域または共有無線周波数スペクトル帯域上で送信するように動作可能な少なくとも１つのＲＦ送信機など、少なくとも１つのＲＦ送信機を含み得る。送信機構成要素６３０は、図１、図２、図３、または図４を参照しながら説明したワイヤレス通信システム１００、２００、３００、または４００の１つまたは複数の通信リンクなど、ワイヤレス通信システムの１つまたは複数の通信リンク上で様々なタイプのデータまたは制御信号（すなわち、送信）を送信するために使用され得る。通信リンクは、認可無線周波数スペクトル帯域または共有無線周波数スペクトル帯域上で確立され得る。
【００７４】
[0088]  いくつかの例では、ワイヤレス通信管理構成要素６２０は、装置６１５のためのワイヤレス通信の１つまたは複数の態様を管理するために使用され得る。いくつかの例では、ワイヤレス通信管理構成要素６２０は、コンポーネントキャリア管理構成要素（component carrier management component）６３５または電力管理構成要素（power management component）６４０を含み得る。
【００７５】
[0089]  いくつかの例では、コンポーネントキャリア管理構成要素６３５は、ＵＥ（たとえば、装置６１５を含むＵＥ）のために構成された複数のコンポーネントキャリアのうちの１つまたは複数を識別するために使用され得る。いくつかの例では、複数のコンポーネントキャリアはＵＥのためのキャリアアグリゲーション動作のために構成され得る。いくつかの例では、複数のコンポーネントキャリアはＵＥのためのデュアル接続性動作のために構成され得る。いくつかの例では、複数のコンポーネントキャリアは第１のアップリンクコンポーネントキャリアを含み得る。いくつかの例では、複数のコンポーネントキャリアは第２のアップリンクコンポーネントキャリアをも含み得る。
【００７６】
[0090]  コンポーネントキャリア管理構成要素６３５はまた、それの上で複数のコンポーネントキャリアのうちの１つまたは複数が送信される（１つまたは複数の）無線周波数スペクトル帯域を決定するために使用され得る。たとえば、コンポーネントキャリア管理構成要素６３５は、それの上で第１のアップリンクコンポーネントキャリアおよび／または第２のアップリンクコンポーネントキャリアが送信される（１つまたは複数の）無線周波数スペクトル帯域を決定するために使用され得る。いくつかの例では、コンポーネントキャリア管理構成要素６３５は、第１のアップリンクコンポーネントキャリアが共有無線周波数スペクトル帯域上で送信されると決定し得る。いくつかの例では、コンポーネントキャリア管理構成要素６３５は、第２のアップリンクコンポーネントキャリアが共有無線周波数スペクトル帯域または認可無線周波数スペクトル帯域上で送信されると決定し得る。
【００７７】
[0091]  いくつかの例では、電力管理構成要素６４０は、コンポーネントキャリア管理構成要素６３５によって識別される複数のコンポーネントキャリアのうちの１つまたは複数に対して電力管理動作を実行するために使用され得る。電力管理動作は、現在サブフレームについて実行され得、たとえば、装置７１５を含むＵＥのために構成された複数のコンポーネントキャリアのための初期電力設定またはデフォルト電力設定がＵＥのための許容される総最大送信電力（total maximum transmit power）を超えると電力管理構成要素６４０が決定するので、実行され得る。
【００７８】
[0092]  いくつかの例では、電力管理構成要素６４０は、現在サブフレームについて第１のアップリンクコンポーネントキャリアに対して電力管理動作を実行するために使用され得る。電力管理動作は、第１のアップリンクコンポーネントキャリアが共有無線周波数スペクトル帯域上で送信されるという、コンポーネントキャリア管理構成要素６３５による決定に少なくとも部分的に基づき得る。
【００７９】
[0093]  いくつかの例では、第１のアップリンクコンポーネントキャリアに対して実行された電力管理動作は、現在サブフレームについて、第１のアップリンクコンポーネントキャリア上の送信電力を最小保証電力以上に維持すること、現在サブフレームについて、第１のアップリンクコンポーネントキャリア上の送信電力を低減された電力にスケーリングすること、現在サブフレームについて、第１のアップリンクコンポーネントキャリア上の最大送信電力として、現在サブフレームに先行するサブフレーム中に第１のアップリンクコンポーネントキャリア上の送信電力を使用すること、および／または現在サブフレームについて、第１のアップリンクコンポーネントキャリア上の送信をドロップすることを含み得る。
【００８０】
[0094]  図７に、本開示の様々な態様による、ワイヤレス通信において使用するための装置７１５のブロック図７００を示す。装置７１５は、図１、図２、図３、または図４を参照しながら説明したＵＥ１１５、２１５、２１５−ａ、２１５−ｂ、２１５−ｃ、３１５、または４１５のうちの１つまたは複数の態様、あるいは図６を参照しながら説明した装置６１５の態様の一例であり得る。装置７１５はまた、プロセッサであるか、またはプロセッサを含み得る。装置７１５は、受信機構成要素７１０、ワイヤレス通信管理構成要素７２０、または送信機構成要素７３０を含み得る。これらの構成要素の各々は互いと通信していることがある。
【００８１】
[0095]  装置７１５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００８２】
[0096]  いくつかの例では、受信機構成要素７１０は、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または共有無線周波数スペクトル帯域（たとえば、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域）上での送信を受信するように動作可能な少なくとも１つのＲＦ受信機など、少なくとも１つのＲＦ受信機を含み得る。いくつかの例では、認可無線周波数スペクトル帯域または共有無線周波数スペクトル帯域が、たとえば、図１、図２、図３、または図４を参照しながら説明したように、ＬＴＥ／ＬＴＥ−Ａ通信のために使用され得る。受信機構成要素７１０は、場合によっては、認可無線周波数スペクトル帯域および共有無線周波数スペクトル帯域のための別個の受信機を含み得る。別個の受信機は、いくつかの例では、認可無線周波数スペクトル帯域上で通信するためのＬＴＥ／ＬＴＥ−Ａ受信機構成要素（たとえば、認可ＲＦスペクトル帯域のためのＬＴＥ／ＬＴＥ−Ａ受信機構成要素７１２）、および共有無線周波数スペクトル帯域上で通信するためのＬＴＥ／ＬＴＥ−Ａ受信機構成要素（たとえば、共有ＲＦスペクトル帯域のためのＬＴＥ／ＬＴＥ−Ａ受信機構成要素７１４）の形態をとり得る。認可ＲＦスペクトル帯域のためのＬＴＥ／ＬＴＥ−Ａ受信機構成要素７１２または共有ＲＦスペクトル帯域のためのＬＴＥ／ＬＴＥ−Ａ受信機構成要素７１４を含む受信機構成要素７１０は、図１、図２、図３、または図４を参照しながら説明したワイヤレス通信システム１００、２００、３００、または４００の１つまたは複数の通信リンクなど、ワイヤレス通信システムの１つまたは複数の通信リンク上で様々なタイプのデータまたは制御信号（すなわち、送信）を受信するために使用され得る。通信リンクは、認可無線周波数スペクトル帯域または共有無線周波数スペクトル帯域上で確立され得る。
【００８３】
[0097]  いくつかの例では、送信機構成要素７３０は、認可無線周波数スペクトル帯域または共有無線周波数スペクトル帯域上で送信するように動作可能な少なくとも１つのＲＦ送信機など、少なくとも１つのＲＦ送信機を含み得る。送信機構成要素７３０は、場合によっては、認可無線周波数スペクトル帯域および共有無線周波数スペクトル帯域のための別個の送信機を含み得る。別個の送信機は、いくつかの例では、認可無線周波数スペクトル帯域上で通信するためのＬＴＥ／ＬＴＥ−Ａ送信機構成要素（たとえば、認可ＲＦスペクトル帯域のためのＬＴＥ／ＬＴＥ−Ａ送信機構成要素７３２）、および共有無線周波数スペクトル帯域上で通信するためのＬＴＥ／ＬＴＥ−Ａ送信機構成要素（たとえば、共有ＲＦスペクトル帯域のためのＬＴＥ／ＬＴＥ−Ａ送信機構成要素７３４）の形態をとり得る。認可ＲＦスペクトル帯域のためのＬＴＥ／ＬＴＥ−Ａ送信機構成要素７３２または共有ＲＦスペクトル帯域のためのＬＴＥ／ＬＴＥ−Ａ送信機構成要素７３４を含む送信機構成要素７３０は、図１、図２、図３、または図４を参照しながら説明したワイヤレス通信システム１００、２００、３００、または４００の１つまたは複数の通信リンクなど、ワイヤレス通信システムの１つまたは複数の通信リンク上で様々なタイプのデータまたは制御信号（すなわち、送信）を送信するために使用され得る。通信リンクは、認可無線周波数スペクトル帯域または共有無線周波数スペクトル帯域上で確立され得る。
【００８４】
[0098]  いくつかの例では、ワイヤレス通信管理構成要素７２０は、装置７１５のためのワイヤレス通信の１つまたは複数の態様を管理するために使用され得る。いくつかの例では、ワイヤレス通信管理構成要素７２０は、コンポーネントキャリア管理構成要素７３５または電力管理構成要素７４０を含み得る。
【００８５】
[0099]  いくつかの例では、コンポーネントキャリア管理構成要素７３５は、ＵＥ（たとえば、装置７１５を含むＵＥ）のために構成された複数のコンポーネントキャリアのうちの１つまたは複数を識別するために使用され得る。いくつかの例では、複数のコンポーネントキャリアはＵＥのためのキャリアアグリゲーション動作のために構成され得る。いくつかの例では、複数のコンポーネントキャリアはＵＥのためのデュアル接続性動作のために構成され得る。いくつかの例では、複数のコンポーネントキャリアは第１のアップリンクコンポーネントキャリアを含み得る。いくつかの例では、複数のコンポーネントキャリアは第２のアップリンクコンポーネントキャリアをも含み得る。
【００８６】
[0100]  コンポーネントキャリア管理構成要素７３５はまた、それの上で複数のコンポーネントキャリアのうちの１つまたは複数が送信される（１つまたは複数の）無線周波数スペクトル帯域を決定するために使用され得る。たとえば、コンポーネントキャリア管理構成要素７３５は、それの上で第１のアップリンクコンポーネントキャリアおよび／または第２のアップリンクコンポーネントキャリアが送信される（１つまたは複数の）無線周波数スペクトル帯域を決定するために使用され得る。いくつかの例では、コンポーネントキャリア管理構成要素７３５は、第１のアップリンクコンポーネントキャリアが共有無線周波数スペクトル帯域上で送信されると決定し得る。いくつかの例では、コンポーネントキャリア管理構成要素７３５は、第２のアップリンクコンポーネントキャリアが共有無線周波数スペクトル帯域または認可無線周波数スペクトル帯域上で送信されると決定し得る。
【００８７】
[0101]  いくつかの例では、電力管理構成要素７４０は、コンポーネントキャリア管理構成要素７３５によって識別される複数のコンポーネントキャリアのうちの１つまたは複数に対して電力管理動作を実行するために使用され得る。電力管理動作は、現在サブフレームについて実行され得、たとえば、装置７１５を含むＵＥのために構成された複数のコンポーネントキャリアのための初期電力設定またはデフォルト電力設定がＵＥのための許容される総最大送信電力を超えると電力管理構成要素７４０が決定するので、実行され得る。いくつかの例では、電力管理構成要素７４０は、共有無線周波数スペクトル帯域電力管理構成要素７４５、認可無線周波数スペクトル帯域電力管理構成要素７５０、またはアップリンクスケジューリング管理構成要素（（uplink scheduling management component））７７５を含み得る。
【００８８】
[0102]  いくつかの例では、共有無線周波数スペクトル帯域電力管理構成要素７４５は、１つまたは複数のコンポーネントキャリアが、共有無線周波数スペクトル帯域上で送信されるアップリンクコンポーネントキャリアであるという、コンポーネントキャリア管理構成要素７３５による決定に基づいて、１つまたは複数のコンポーネントキャリアに対して電力管理動作を実行するために使用され得る。たとえば、共有無線周波数スペクトル帯域電力管理構成要素７４５は、現在サブフレームについて、コンポーネントキャリア管理構成要素７３５によって識別される第１のアップリンクコンポーネントキャリアに対して電力管理動作を実行するために使用され得る。いくつかの例では、共有無線周波数スペクトル帯域電力管理構成要素７４５は、最小保証電力管理構成要素７５５、電力スケーリング構成要素（power scaling component）７６０、しきい値電力低減決定構成要素（threshold power reduction determination component）７６５、または電力一貫性管理構成要素（power consistency management component）７７０を含み得る。説明の目的で、最小保証電力管理構成要素７５５、電力スケーリング構成要素７６０、しきい値電力低減決定構成要素７６５、および電力一貫性管理構成要素７７０の例示的な使用および動作について、共有無線周波数スペクトル帯域上で送信される第１のアップリンクコンポーネントキャリアに対して電力管理動作を実行するコンテキストにおいて、以下で説明する。これらの構成要素はまた、共有無線周波数スペクトル帯域上で送信される１つまたは複数の他のアップリンクコンポーネントキャリアに対して電力管理動作を実行するために使用され得る。
【００８９】
[0103]  いくつかの例では、最小保証電力管理構成要素７５５は、第１のアップリンクコンポーネントキャリア上でおよび現在サブフレームについて、送信電力を、最小保証電力を上回って維持するために使用され得る。たとえば、電力スケーリング構成要素７６０は、第１のアップリンクコンポーネントキャリア上の送信電力を低減された電力にスケーリングするために使用され得、最小保証電力管理構成要素７５５は、低減された電力が最小保証電力を下回らないことを保証し得る。
【００９０】
[0104]  いくつかの例では、最小保証電力は、第１のアップリンクコンポーネントキャリア上で送信されるチャネルタイプまたはアップリンク情報タイプに依存し得る。たとえば、最小保証電力は、ＰＵＣＣＨ最小保証電力成分およびＰＵＳＣＨ保証最小電力成分のうちの少なくとも１つを含み、第１のアップリンクコンポーネントキャリアの送信電力がそれに維持される最小保証電力は、ＰＵＣＣＨおよび／またはＰＵＳＣＨが、現在サブフレーム中に第１のアップリンクコンポーネントキャリア上で送信されるようにスケジュールされるかどうかに依存し得る。ＰＵＣＣＨが、現在サブフレーム中に第１のアップリンクコンポーネントキャリア上で送信されるようにスケジュールされるとき、最小保証電力は、ＰＵＣＣＨ最小保証電力成分を含み得る。ＰＵＳＣＨが、現在サブフレーム中に第１のアップリンクコンポーネントキャリア上で送信されるようにスケジュールされるとき、最小保証電力は、ＰＵＳＣＨ最小保証電力成分を含み得る。ＰＵＣＣＨおよびＰＵＳＣＨが、現在サブフレーム中に第１のアップリンクコンポーネントキャリア上で送信されるようにスケジュールされるとき、最小保証電力は、ＰＵＣＣＨ最小保証電力成分および／またはＰＵＳＣＨ最小保証電力成分の組合せおよび／またはスケーリングされた割合を含み得る。現在サブフレーム中に第１のアップリンクコンポーネントキャリア上でＰＵＣＣＨとＰＵＳＣＨの両方をスケジュールする場合、最小保証電力は、別々に定義されたＰＵＣＣＨ／ＰＵＳＣＨ最小保証電力成分をも含み得る。別の例として、ハイブリッド自動再送要求（ＨＡＲＱ）肯定応答（ＡＣＫ）が存在する場合、第１の最小保証電力が使用され得、チャネル状態情報（ＣＳＩ）報告が存在する場合、第２の最小保証電力が使用され得る。
【００９１】
[0105]  電力管理動作が、複数のコンポーネントキャリア中の１つまたは複数の他のコンポーネントキャリアについて、共有無線周波数スペクトル帯域電力管理構成要素７４５によって実行されるとき、および１つまたは複数の他のコンポーネントキャリアが少なくとも第２のアップリンクコンポーネントキャリアを含むとき、同じ最小保証電力または異なる最小保証電力が、第１のアップリンクコンポーネントキャリアおよび第２のアップリンクコンポーネントキャリアのために維持され得る。
【００９２】
[0106]  いくつかの例では、電力スケーリング構成要素７６０は、現在サブフレームについて、第１のアップリンクコンポーネントキャリア上の送信電力を低減された電力にスケーリングするために使用され得る。電力スケーリング構成要素７６０は、同じくまたは代替的に、現在サブフレームについて第１のアップリンクコンポーネントキャリア上の送信をドロップするように構成され得る。いくつかの例では、第１のアップリンクコンポーネントキャリア上の送信は、第１のアップリンクコンポーネントキャリアに対して電力管理動作を実行する必要のために、または第１のアップリンクコンポーネントキャリア上の送信電力をスケーリングする必要のために、現在サブフレームについてドロップされ得る。いくつかの例では、第１のアップリンクコンポーネントキャリア上の送信は、第１のアップリンクコンポーネントキャリア上の送信電力のスケーリングが（たとえば、しきい値電力低減決定構成要素７６５によって決定されるような）しきい値電力低減を上回るので、現在サブフレームについてドロップされ得る。
【００９３】
[0107]  いくつかの例では、しきい値電力低減決定構成要素７６５は、共有無線周波数スペクトル帯域電力管理構成要素７４５によって実行される電力管理動作が、しきい値電力低減を上回る電力低減を生じるかどうかを決定するために使用され得る。しきい値電力低減決定構成要素７６５によって行われた決定は、たとえば、第１のアップリンクコンポーネントキャリア上の送信がドロップされるべきかどうかを決定するために、たとえば、電力スケーリング構成要素７６０または電力一貫性管理構成要素７７０によって使用され得る。しきい値電力低減決定構成要素７６５によって行われた決定はまた、サブフレームについてのスケジューリングを決定するために、アップリンクスケジューリング管理構成要素７７５によって使用され得る。
【００９４】
[0108]  いくつかの例では、電力一貫性管理構成要素７７０は、サブフレームごとの第１のアップリンクコンポーネントキャリア上の電力レベルを管理するために使用され得る。たとえば、電力一貫性管理構成要素７７０は、現在サブフレームの後にくる少なくとも１つの後続サブフレームについて、第１のアップリンクコンポーネントキャリア上の最大送信電力として、現在サブフレームにおいて、第１のアップリンクコンポーネントキャリア上の低減された電力を使用し得る。代替的に、電力一貫性管理構成要素７７０は、現在サブフレームの後にくる少なくとも１つの後続サブフレームについて、第１のアップリンクコンポーネントキャリア上の送信をドロップするために使用され得る。いくつかの例では、現在サブフレームの後にくる少なくとも１つの後続サブフレームは、現在サブフレームと後続フレームの境界との間の少なくとも１つのアップリンクサブフレームを含み得る。いくつかの例では、現在サブフレームの後にくる少なくとも１つの後続サブフレームは、現在サブフレームと後続フレームの境界との間のいくつかのアップリンクサブフレームの各々を含み得る。
【００９５】
[0109]  いくつかの例では、電力一貫性管理構成要素７７０による、第１のアップリンクコンポーネントキャリアに対する電力管理動作の実行は、現在サブフレームについて、第１のアップリンクコンポーネントキャリアに対して電力管理動作を実行する必要によって、または現在サブフレームについて、第１のアップリンクコンポーネントキャリア上の送信電力のスケーリングによって、または現在サブフレームについて、第１のアップリンクコンポーネントキャリア上の送信電力の、しきい値電力低減を上回るスケーリングによって、または現在サブフレームについて、第１のアップリンクコンポーネントキャリア上の送信のドロッピングによって、トリガされ得る。
【００９６】
[0110]  いくつかの例では、および共有無線周波数スペクトル帯域上で送信されるアップリンクコンポーネントキャリア上の送信をドロップすると、共有無線周波数スペクトル帯域電力管理構成要素７４５は、送信がドロップされたサブフレームの後にくる少なくとも１つの後続アップリンクサブフレームについて、ＣＣＡの実行をトリガし得る。いくつかの例では、ＣＣＡは、拡張ＣＣＡの形態をとり得る。
【００９７】
[0111]  いくつかの例では、認可無線周波数スペクトル帯域電力管理構成要素７５０は、１つまたは複数のコンポーネントキャリアが、認可無線周波数スペクトル帯域上で送信されるアップリンクコンポーネントキャリアであるという、コンポーネントキャリア管理構成要素７３５による決定に基づいて、１つまたは複数のコンポーネントキャリアに対して電力管理動作を実行するために使用され得る。
【００９８】
[0112]  いくつかの例では、アップリンクスケジューリング管理構成要素７７５は、いくつかのアップリンクスケジューリングのうちのいずれが現在サブフレーム中にアップリンクコンポーネントキャリアのために使用されるかを決定するために使用され得る。例として、アップリンクスケジューリング管理構成要素７７５の例示的な動作について、共有無線周波数スペクトル帯域上で送信される第１のアップリンクコンポーネントキャリアのためのアップリンクスケジューリングのコンテキストにおいて、本明細書で説明する。
【００９９】
[0113]  いくつかの例では、アップリンクスケジューリング管理構成要素７７５は、現在サブフレームについて、第１のアップリンクコンポーネントキャリアのための第１のアップリンクスケジューリングを受信し、現在サブフレームについて、第１のアップリンクコンポーネントキャリアのための第２のアップリンクスケジューリングを受信し得る。電力管理動作が現在サブフレームについて第１のアップリンクコンポーネントキャリアに対して実行されるとき、アップリンクスケジューリング管理構成要素７７５は、現在サブフレームについて、第１のアップリンクコンポーネントキャリアのための第２のアップリンクスケジューリングを使用し得る。しかしながら、電力管理動作が現在サブフレームについて第１のアップリンクコンポーネントキャリアに対して実行されないとき、アップリンクスケジューリング管理構成要素７７５は、現在サブフレームについて、第１のアップリンクコンポーネントキャリアのための第１のアップリンクスケジューリングを使用し得る。代替的に、アップリンクスケジューリング管理構成要素７７５は、実行された電力管理動作の状態に少なくとも部分的に基づいて、第１のアップリンクスケジューリングまたは第２のアップリンクスケジューリングを使用し得る。代替的に、および第１のアップリンクコンポーネントキャリア上の総送信電力が現在サブフレームについて低減された電力にスケーリングされると、アップリンクスケジューリング管理構成要素７７５は、スケーリングすることがしきい値電力低減を上回らないとき、現在サブフレームについて、第１のアップリンクコンポーネントキャリアのための第１のアップリンクスケジューリングを使用し、スケーリングすることがしきい値電力低減を上回るとき、現在サブフレームについて、第１のアップリンクコンポーネントキャリアのための第２のアップリンクスケジューリングを使用し得る。
【０１００】
[0114]  図８に、本開示の様々な態様による、ワイヤレス通信において使用するためのＵＥ８１５のブロック図８００を示す。ＵＥ８１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ８１５は、いくつかの例では、モバイル動作を可能にするために、小型バッテリーなどの内部電源（図示せず）を有し得る。いくつかの例では、ＵＥ８１５は、図１、図２、図３、または図４を参照しながら説明したＵＥ１１５、２１５、２１５−ａ、２１５−ｂ、２１５−ｃ、３１５、または４１５のうちの１つまたは複数の態様、あるいは図６または図７を参照しながら説明した装置６１５または７１５のうちの１つまたは複数の態様の一例であり得る。ＵＥ８１５は、図１、図２、図３、図４、図５、図６、または図７を参照しながら説明したＵＥまたは装置の特徴および機能のうちの少なくともいくつかを実装するように構成され得る。
【０１０１】
[0115]  ＵＥ８１５は、ＵＥプロセッサ構成要素８１０、ＵＥメモリ構成要素８２０、（（１つまたは複数の）ＵＥトランシーバ構成要素８３０によって表される）少なくとも１つのＵＥトランシーバ構成要素、（（１つまたは複数の）ＵＥアンテナ８４０によって表される）少なくとも１つのＵＥアンテナ、またはＵＥワイヤレス通信管理構成要素８６０を含み得る。これらの構成要素の各々は、１つまたは複数のバス８３５上で、直接的または間接的に、互いと通信していることがある。
【０１０２】
[0116]  ＵＥメモリ構成要素８２０は、ランダムアクセスメモリ（ＲＡＭ）または読取り専用メモリ（ＲＯＭ）を含み得る。ＵＥメモリ構成要素８２０は、実行されたとき、ＵＥ８１５のために構成された複数のコンポーネントキャリアのうちの１つまたは複数に対する電力管理動作の実行を含む、ワイヤレス通信に関係する本明細書で説明する様々な機能をＵＥプロセッサ構成要素８１０に実行させるように構成された命令を含んでいるコンピュータ可読、コンピュータ実行可能コード８２５を記憶し得る。代替的に、コード８２５は、ＵＥプロセッサ構成要素８１０によって直接的に実行可能ではないが、（たとえば、コンパイルされ、実行されたとき）本明細書で説明する機能のうちのいくつかをＵＥ８１５に実行させるように構成され得る。
【０１０３】
[0117]  ＵＥプロセッサ構成要素８１０は、インテリジェントハードウェアデバイス、たとえば、中央処理ユニット（ＣＰＵ）、マイクロコントローラ、ＡＳＩＣなどを含み得る。ＵＥプロセッサ構成要素８１０は、（１つまたは複数の）ＵＥトランシーバ構成要素８３０を通して受信された情報または（１つまたは複数の）ＵＥアンテナ８４０を通した送信のために（１つまたは複数の）ＵＥトランシーバ構成要素８３０に送られるべき情報を処理し得る。ＵＥプロセッサ構成要素８１０は、単独で、またはＵＥワイヤレス通信管理構成要素８６０とともに、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、装置がそれのためにアクセスを求めて競合しない、無線周波数スペクトル帯域）または共有無線周波数スペクトル帯域（たとえば、無線周波数スペクトル帯域が、Ｗｉ−Ｆｉ使用など、無認可使用のために利用可能であるので、装置がそれのためにアクセスを求めて競合する必要があり得る、無線周波数スペクトル帯域）上で通信する（またはその帯域上での通信を管理する）様々な態様を扱い得る。
【０１０４】
[0118]  （１つまたは複数の）ＵＥトランシーバ構成要素８３０は、パケットを変調し、変調されたパケットを送信のために（１つまたは複数の）ＵＥアンテナ８４０に与え、（１つまたは複数の）ＵＥアンテナ８４０から受信されたパケットを復調するように構成されたモデムを含み得る。（１つまたは複数の）ＵＥトランシーバ構成要素８３０は、いくつかの例では、１つまたは複数のＵＥ送信機構成要素および１つまたは複数の別個のＵＥ受信機構成要素として実装され得る。（１つまたは複数の）ＵＥトランシーバ構成要素８３０は、認可無線周波数スペクトル帯域または共有無線周波数スペクトル帯域における通信をサポートし得る。（１つまたは複数の）ＵＥトランシーバ構成要素８３０は、（１つまたは複数の）ＵＥアンテナ８４０を介して、図１、図２、図３、または図４を参照しながら説明した基地局１０５、２０５、２０５−ａ、３０５、４０５、または４０５−ａのうちの１つまたは複数と双方向に通信するように構成され得る。ＵＥ８１５は単一のＵＥアンテナを含み得るが、ＵＥ８１５が複数のＵＥアンテナ８４０を含み得る例があり得る。
【０１０５】
[0119]  ＵＥ状態構成要素（state component）８５０は、たとえば、ＲＲＣアイドル状態とＲＲＣ接続状態との間のＵＥ８１５の遷移を管理するために使用され得、１つまたは複数のバス８３５上で、直接または間接的に、ＵＥ８１５の他の構成要素と通信していることがある。ＵＥ状態構成要素８５０、またはそれの部分はプロセッサを含み得、あるいはＵＥ状態構成要素８５０の機能の一部または全部は、ＵＥプロセッサ構成要素８１０によって実行されるか、またはＵＥプロセッサ構成要素８１０とともに実行され得る。
【０１０６】
[0120]  ＵＥワイヤレス通信管理構成要素８６０は、認可無線周波数スペクトル帯域または共有無線周波数スペクトル帯域上でのワイヤレス通信に関係する図１、図２、図３、図４、図５、図６、または図７を参照しながら説明した、ＵＥまたは装置の特徴または機能の一部または全部を実行または制御するように構成され得る。たとえば、ＵＥワイヤレス通信管理構成要素８６０は、認可無線周波数スペクトル帯域または共有無線周波数スペクトル帯域を使用して、補足ダウンリンクモード、キャリアアグリゲーションモード、スタンドアロンモード、またはデュアル接続性モードをサポートするように構成され得る。ＵＥワイヤレス通信管理構成要素８６０は、認可無線周波数スペクトル帯域におけるＬＴＥ／ＬＴＥ−Ａ通信を扱うように構成された、認可ＲＦスペクトル帯域のためのＵＥ  ＬＴＥ／ＬＴＥ−Ａ構成要素８６５と、共有無線周波数スペクトル帯域におけるＬＴＥ／ＬＴＥ−Ａ通信を扱うように構成された、共有ＲＦスペクトル帯域のためのＵＥ  ＬＴＥ／ＬＴＥ−Ａ構成要素８７０とを含み得る。ＵＥワイヤレス通信管理構成要素８６０、またはそれの部分はプロセッサを含み得、あるいはＵＥワイヤレス通信管理構成要素８６０の機能の一部または全部は、ＵＥプロセッサ構成要素８１０によって実行されるか、またはＵＥプロセッサ構成要素８１０とともに実行され得る。いくつかの例では、ＵＥワイヤレス通信管理構成要素８６０は、図６または図７を参照しながら説明したワイヤレス通信管理構成要素６２０または７２０の一例であり得る。
【０１０７】
[0121]  図９に、本開示の様々な態様による、ワイヤレス通信において使用するための基地局９０５（たとえば、ｅＮＢの一部または全部を形成する基地局）のブロック図９００を示す。いくつかの例では、基地局９０５は、図１、図２、図３、または図４を参照しながら説明した基地局１０５、２０５、２０５−ａ、３０５、４０５、または４０５−ａの１つまたは複数の態様の一例であり得る。基地局９０５は、図１、図２、図３、図４、または図５を参照しながら説明した基地局の特徴および機能のうちの少なくともいくつかを実装するかまたは可能にするように構成され得る。
【０１０８】
[0122]  基地局９０５は、基地局プロセッサ構成要素９１０、基地局メモリ構成要素９２０、（（１つまたは複数の）基地局トランシーバ構成要素９５０によって表される）少なくとも１つの基地局トランシーバ構成要素、（（１つまたは複数の）基地局アンテナ９５５によって表される）少なくとも１つの基地局アンテナ、または基地局ワイヤレス通信管理構成要素９６０を含み得る。基地局９０５はまた、基地局通信構成要素９３０またはネットワーク通信構成要素９４０のうちの１つまたは複数を含み得る。これらの構成要素の各々は、１つまたは複数のバス９３５上で、直接的または間接的に、互いと通信していることがある。
【０１０９】
[0123]  基地局メモリ構成要素９２０はＲＡＭまたはＲＯＭを含み得る。基地局メモリ構成要素９２０は、実行されたとき、ＵＥへの代替アップリンクスケジューリングの送信を含む、ワイヤレス通信に関係する本明細書で説明する様々な機能を基地局プロセッサ構成要素９１０に実行させるように構成された命令を含んでいるコンピュータ可読、コンピュータ実行可能コード９２５を記憶し得る。代替的に、コード９２５は、基地局プロセッサ構成要素９１０によって直接的に実行可能ではないが、（たとえば、コンパイルされ、実行されたとき）本明細書で説明する機能のうちのいくつかを基地局９０５に実行させるように構成され得る。
【０１１０】
[0124]  基地局プロセッサ構成要素９１０は、インテリジェントハードウェアデバイス、たとえば、ＣＰＵ、マイクロコントローラ、ＡＳＩＣなどを含み得る。基地局プロセッサ構成要素９１０は、（１つまたは複数の）基地局トランシーバ構成要素９５０、基地局通信構成要素９３０、またはネットワーク通信構成要素９４０を通して受信された情報を処理し得る。基地局プロセッサ構成要素９１０はまた、（１つまたは複数の）アンテナ９５５を通した送信のために（１つまたは複数の）トランシーバ構成要素９５０に送られるべき情報、１つまたは複数の他の基地局９０５−ａおよび９０５−ｂへの送信のために基地局通信構成要素９３０に送られるべき情報、または図１を参照しながら説明したコアネットワーク１３０の１つまたは複数の態様の一例であり得る、コアネットワーク９４５への送信のためにネットワーク通信構成要素９４０に送られるべき情報を処理し得る。基地局プロセッサ構成要素９１０は、単独で、または基地局ワイヤレス通信管理構成要素９６０とともに、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、装置がそれのためにアクセスを求めて競合しない、無線周波数スペクトル帯域）または共有無線周波数スペクトル帯域（たとえば、無線周波数スペクトル帯域が、Ｗｉ−Ｆｉ使用など、無認可使用のために利用可能であるので、装置がそれのためにアクセスを求めて競合する必要があり得る、無線周波数スペクトル帯域）上で通信する（またはその帯域上での通信を管理する）様々な態様を扱い得る。
【０１１１】
[0125]  （１つまたは複数の）基地局トランシーバ構成要素９５０は、パケットを変調し、変調されたパケットを送信のために（１つまたは複数の）基地局アンテナ９５５に与え、（１つまたは複数の）基地局アンテナ９５５から受信されたパケットを復調するように構成されたモデムを含み得る。（１つまたは複数の）基地局トランシーバ構成要素９５０は、いくつかの例では、１つまたは複数の基地局送信機構成要素および１つまたは複数の別個の基地局受信機構成要素として実装され得る。（１つまたは複数の）基地局トランシーバ構成要素９５０は、認可無線周波数スペクトル帯域または共有無線周波数スペクトル帯域における通信をサポートし得る。（１つまたは複数の）基地局トランシーバ構成要素９５０は、（１つまたは複数の）アンテナ９５５を介して、図１、図２、図３、図４、または図８を参照しながら説明したＵＥ１１５、２１５、２１５−ａ、２１５−ｂ、２１５−ｃ、３１５、４１５、または８１５のうちの１つまたは複数、あるいは図１６または図１７を参照しながら説明した装置６１５または７１５のうちの１つまたは複数など、１つまたは複数のＵＥまたは装置と双方向に通信するように構成され得る。基地局９０５は、たとえば、複数の基地局アンテナ９５５（たとえば、アンテナアレイ）を含み得る。基地局９０５は、ネットワーク通信構成要素９４０を通してコアネットワーク９４５と通信し得る。基地局９０５はまた、基地局通信構成要素９３０を使用して、基地局９０５−ａおよび９０５−ｂなど、他の基地局と通信し得る。
【０１１２】
[0126]  基地局ワイヤレス通信管理構成要素９６０は、認可無線周波数スペクトル帯域または共有無線周波数スペクトル帯域上でのワイヤレス通信に関係する図１、図２、図３、図４、または図５を参照しながら説明した特徴または機能の一部または全部を実行または制御するように構成され得る。たとえば、基地局ワイヤレス通信管理構成要素９６０は、認可無線周波数スペクトル帯域または共有無線周波数スペクトル帯域を使用して、補足ダウンリンクモード、キャリアアグリゲーションモード、スタンドアロンモード使用すること、またはデュアル接続性モードをサポートするように構成され得る。基地局ワイヤレス通信管理構成要素９６０は、認可無線周波数スペクトル帯域におけるＬＴＥ／ＬＴＥ−Ａ通信を扱うように構成された、認可ＲＦスペクトル帯域のための基地局ＬＴＥ／ＬＴＥ−Ａ構成要素９６５と、共有無線周波数スペクトル帯域におけるＬＴＥ／ＬＴＥ−Ａ通信を扱うように構成された、共有ＲＦスペクトル帯域のための基地局ＬＴＥ／ＬＴＥ−Ａ構成要素９７０とを含み得る。基地局ワイヤレス通信管理構成要素９６０、またはそれの部分はプロセッサを含み得、あるいは基地局ワイヤレス通信管理構成要素９６０の機能の一部または全部は、基地局プロセッサ構成要素９１０によって実行されるか、または基地局プロセッサ構成要素９１０とともに実行され得る。
【０１１３】
[0127]  図１０は、本開示の様々な態様による、基地局１００５とＵＥ１０１５とを含む多入力多出力（ＭＩＭＯ）通信システム１０００のブロック図である。ＭＩＭＯ通信システム１０００は、図１、図２、図３、または図４を参照しながら説明したワイヤレス通信システム１００、２００、３００、または４００の態様を示し得る。基地局１００５は、図１、図２、図３、図４、または図９を参照しながら説明した基地局１０５、２０５、２０５−ａ、３０５、４０５、４０５−ａ、または９０５の態様の一例であり得る。基地局１００５はアンテナ１０３４〜１０３５を装備し得、ＵＥ１０１５はアンテナ１０５２〜１０５３を装備し得る。ＭＩＭＯ通信システム１０００では、基地局１００５は、同時に複数の通信リンクを介してデータを送ることが可能であり得る。各通信リンクは「レイヤ（layer）」と呼ばれることがあり、通信リンクの「ランク（rank）」は、通信のために使用されるレイヤの数を示し得る。たとえば、基地局１００５が２つの「レイヤ」を送信する２×２ＭＩＭＯ通信システムでは、基地局１００５とＵＥ１０１５との間の通信リンクのランクは２である。
【０１１４】
[0128]  基地局１００５において、送信プロセッサ１０２０がデータソースからデータを受信し得る。送信プロセッサ１０２０はデータを処理し得る。送信プロセッサ１０２０はまた、制御シンボルまたは基準シンボルを生成し得る。送信（Ｔｘ）ＭＩＭＯプロセッサ１０３０が、適用可能な場合、データシンボル、制御シンボル、または基準シンボルに対して空間処理（たとえば、プリコーディング）を実行し得、出力シンボルストリームを送信変調器１０３２〜１０３３に与え得る。各変調器１０３２〜１０３３は、出力サンプルストリームを取得するために、（たとえば、ＯＦＤＭなどのために）それぞれの出力シンボルストリームを処理し得る。各変調器１０３２〜１０３３はさらに、ＤＬ信号を取得するために、出力サンプルストリームを処理（たとえば、アナログへの変換、増幅、フィルタ処理、およびアップコンバート）し得る。一例では、変調器１０３２〜１０３３からのＤＬ信号は、それぞれアンテナ１０３４〜１０３５を介して送信され得る。
【０１１５】
[0129]  ＵＥ１０１５は、図１、図２、図３、図４、または図８を参照しながら説明したＵＥ１１５、２１５、２１５−ａ、２１５−ｂ、２１５−ｃ、３１５、４１５、または８１５の態様、あるいは図６または図７を参照しながら説明した装置６１５または７１５の態様の一例であり得る。ＵＥ１０１５において、ＵＥアンテナ１０５２〜１０５３は、基地局１００５からＤＬ信号を受信し得、受信信号をそれぞれ復調器１０５４〜１０５５に与え得る。各復調器１０５４〜１０５５は、入力サンプルを取得するために、それぞれの受信信号を調整（たとえば、フィルタ処理、増幅、ダウンコンバート、およびデジタル化）し得る。各復調器１０５４〜１０５５はさらに、受信シンボルを取得するために、（たとえば、ＯＦＤＭなどのために）入力サンプルを処理し得る。ＭＩＭＯ検出器１０５６が、すべての復調器１０５４〜１０５５から受信シンボルを取得し、適用可能な場合は受信シンボルに対してＭＩＭＯ検出を実行し、検出されたシンボルを与え得る。受信（Ｒｘ）プロセッサ１０５８は、検出されたシンボルを処理（たとえば、復調、デインターリーブ、および復号）し、ＵＥ１０１５のための復号されたデータをデータ出力に与え、復号された制御情報をプロセッサ１０８０、またはメモリ１０８２に与え得る。
【０１１６】
[0130]  プロセッサ１０８０は、場合によっては、ワイヤレス通信管理構成要素１０８４をインスタンス化するための記憶された命令を実行し得る。ワイヤレス通信管理構成要素１０８４は、図６、図７、または図８を参照しながら説明したワイヤレス通信管理構成要素６２０、７２０、または８６０の態様の一例であり得る。
【０１１７】
[0131]  アップリンク（ＵＬ）上で、ＵＥ１０１５において、送信プロセッサ１０６４が、データソースからデータを受信し、処理し得る。送信プロセッサ１０６４はまた、基準信号のための基準シンボルを生成し得る。送信プロセッサ１０６４からのシンボルは、適用可能な場合は送信ＭＩＭＯプロセッサ１０６６によってプリコーディングされ、さらに（たとえば、ＳＣ−ＦＤＭＡなどのために）変調器１０５４〜１０５５によって処理され、基地局１００５から受信された送信パラメータに従って基地局１００５に送信され得る。基地局１００５において、ＵＥ１０１５からのＵＬ信号がアンテナ１０３４〜１０３５によって受信され、復調器１０３２〜１０３３によって処理され、適用可能な場合はＭＩＭＯ検出器１０３６によって検出され、受信プロセッサ１０３８によってさらに処理され得る。受信プロセッサ１０３８は、復号されたデータをデータ出力とプロセッサ１０４０またはメモリ１０４２とに与え得る。
【０１１８】
[0132]  プロセッサ１０４０は、場合によっては、ワイヤレス通信管理構成要素１０８６をインスタンス化するための記憶された命令を実行し得る。ワイヤレス通信管理構成要素１０８６は、図９を参照しながら説明したワイヤレス通信管理構成要素９６０の態様の一例であり得る。
【０１１９】
[0133]  ＵＥ１０１５の構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１０００の動作に関係する１つまたは複数の機能を実行するための手段であり得る。同様に、基地局１００５の構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１０００の動作に関係する１つまたは複数の機能を実行するための手段であり得る。
【０１２０】
[0134]  図１１は、本開示の様々な態様による、ワイヤレス通信のための方法１１００の一例を示すフローチャートである。明快のために、方法１１００について、図１、図２、図３、図４、図８、または図１０を参照しながら説明したＵＥ１１５、２１５、２１５−ａ、２１５−ｂ、２１５−ｃ、３１５、４１５、８１５、または１０１５のうちの１つまたは複数の態様、あるいは図６または図１７を参照しながら説明した装置６１５または７１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。方法１１００は、（たとえば、現在サブフレームについて、ＵＥまたは装置のために構成された複数のコンポーネントキャリアのための初期電力設定またはデフォルト電力設定が、ＵＥまたは装置のための許容される総最大送信電力を超えるので）現在サブフレームについて電力管理動作を実行するための決定が行われたと推定する。
【０１２１】
[0135]  ブロック１１０５において、方法１１００は、ＵＥのために構成された複数のコンポーネントキャリアのうちの第１のアップリンクコンポーネントキャリアを識別することを含み得る。いくつかの例では、複数のコンポーネントキャリアはＵＥのためのキャリアアグリゲーション動作のために構成され得る。いくつかの例では、複数のコンポーネントキャリアはＵＥのためのデュアル接続性動作のために構成され得る。いくつかの例では、複数のコンポーネントキャリアのうちの１つまたは複数の追加のコンポーネントキャリアも、ブロック１１０５において識別され得る。いくつかの例では、１つまたは複数の追加のコンポーネントキャリアは少なくとも第２のアップリンクコンポーネントキャリアを含み得る。ブロック１１０５における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１２２】
[0136]  ブロック１１１０において、方法１１００は、第１のアップリンクコンポーネントキャリアが共有無線周波数スペクトル帯域上で送信されると決定することを含み得る。共有無線周波数スペクトル帯域は、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域を含み得る。いくつかの例では、それの上で１つまたは複数の他のコンポーネントキャリアが搬送される無線周波数スペクトル帯域も、ブロック１１１０において決定され得る。たとえば、第２のアップリンクコンポーネントキャリアが共有無線周波数スペクトル帯域上で送信される、または第２のアップリンクコンポーネントキャリアが認可無線周波数スペクトル帯域上で送信されると決定され得る。認可無線周波数スペクトル帯域は、無線周波数スペクトル帯域が、ＬＴＥ／ＬＴＥ−Ａ通信のために使用可能な認可無線周波数スペクトル帯域など、特定の使用のために特定のユーザに認可されているので、送信装置がそれのためにアクセスを求めて競合しないことがある、無線周波数スペクトル帯域を含み得る。ブロック１１１０における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１２３】
[0137]  ブロック１１１５において、方法１１００は、ブロック１１１０において実行された決定することに少なくとも部分的に基づいて、現在サブフレームについて、第１のアップリンクコンポーネントキャリアに対して電力管理動作を実行することを含み得る。いくつかの例では、電力管理動作はまた、複数のコンポーネントキャリア中の１つまたは複数の他のコンポーネントキャリアについて、ブロック１１１５において実行され得る。ブロック１１１５における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５および／または認可無線周波数スペクトル帯域電力管理構成要素７５０を使用して実行され得る。
【０１２４】
[0138]  いくつかの例では、ブロック１１１５において実行された電力管理動作は、現在サブフレームについて、第１のアップリンクコンポーネントキャリア上の送信電力を最小保証電力以上に維持すること、現在サブフレームについて、第１のアップリンクコンポーネントキャリア上の送信電力を低減された電力にスケーリングすること、現在サブフレームについて、第１のアップリンクコンポーネントキャリア上の最大送信電力として、現在サブフレームに先行するサブフレーム中に第１のアップリンクコンポーネントキャリア上の送信電力を使用すること、および／または現在サブフレームについて、第１のアップリンクコンポーネントキャリア上の送信をドロップすることを含み得る。
【０１２５】
[0139]  したがって、方法１１００はワイヤレス通信を提供し得る。方法１１００は一実装形態にすぎないこと、および方法１１００の動作は、他の実装形態が可能であるように、並べ替えられるかまたは場合によっては変更され得ることに留意されたい。
【０１２６】
[0140]  図１２は、本開示の様々な態様による、ワイヤレス通信のための方法１２００の一例を示すフローチャートである。明快のために、方法１２００について、図１、図２、図３、図４、図８、または図１０を参照しながら説明したＵＥ１１５、２１５、２１５−ａ、２１５−ｂ、２１５−ｃ、３１５、４１５、８１５、または１０１５のうちの１つまたは複数の態様、あるいは図６または図１７を参照しながら説明した装置６１５または７１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。方法１２００は、（たとえば、現在サブフレームについて、ＵＥまたは装置のために構成された複数のコンポーネントキャリアのための初期電力設定またはデフォルト電力設定が、ＵＥまたは装置のための許容される総最大送信電力を超えるので）現在サブフレームについて電力管理動作を実行するための決定が行われたと推定する。
【０１２７】
[0141]  ブロック１２０５において、方法１２００は、ＵＥのために構成された複数のコンポーネントキャリアのうちの第１のアップリンクコンポーネントキャリアを識別することを含み得る。いくつかの例では、複数のコンポーネントキャリアはＵＥのためのキャリアアグリゲーション動作のために構成され得る。いくつかの例では、複数のコンポーネントキャリアはＵＥのためのデュアル接続性動作のために構成され得る。いくつかの例では、複数のコンポーネントキャリアのうちの１つまたは複数の追加のコンポーネントキャリアも、ブロック１２０５において識別され得る。いくつかの例では、１つまたは複数の追加のコンポーネントキャリアは少なくとも第２のアップリンクコンポーネントキャリアを含み得る。ブロック１２０５における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１２８】
[0142]  ブロック１２１０において、方法１２００は、第１のアップリンクコンポーネントキャリアが共有無線周波数スペクトル帯域上で送信されると決定することを含み得る。共有無線周波数スペクトル帯域は、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域を含み得る。いくつかの例では、それの上で１つまたは複数の他のコンポーネントキャリアが搬送される無線周波数スペクトル帯域も、ブロック１２１０において決定され得る。たとえば、第２のアップリンクコンポーネントキャリアが共有無線周波数スペクトル帯域上で送信される、または第２のアップリンクコンポーネントキャリアが認可無線周波数スペクトル帯域上で送信されると決定され得る。認可無線周波数スペクトル帯域は、無線周波数スペクトル帯域が、ＬＴＥ／ＬＴＥ−Ａ通信のために使用可能な認可無線周波数スペクトル帯域など、特定の使用のために特定のユーザに認可されているので、送信装置がそれのためにアクセスを求めて競合しないことがある、無線周波数スペクトル帯域を含み得る。ブロック１２１０における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１２９】
[0143]  ブロック１２１５において、方法１２００は、ブロック１２１０において実行された決定することに少なくとも部分的に基づいて、現在サブフレームについて、第１のアップリンクコンポーネントキャリアに対して電力管理動作を実行することを含み得る。第１のアップリンクコンポーネントキャリアに対して電力管理動作を実行することは、第１のアップリンクコンポーネントキャリア上でおよび現在サブフレームについて、送信電力を、最小保証電力を上回って維持することを含み得る。いくつかの例では、第１のアップリンクコンポーネントキャリアに対して電力管理動作を実行することは、第１のアップリンクコンポーネントキャリア上の送信電力を低減された電力に、ただし最小保証電力を下回らないように、スケーリングすることを含み得る。いくつかの例では、電力管理動作はまた、複数のコンポーネントキャリア中の１つまたは複数の他のコンポーネントキャリアについて、ブロック１２１５において実行され得る。ブロック１２１５における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５、認可無線周波数スペクトル帯域電力管理構成要素７５０、および／または最小保証電力管理構成要素７５５を使用して実行され得る。
【０１３０】
[0144]  いくつかの例では、最小保証電力は、第１のアップリンクコンポーネントキャリア上で送信されるチャネルタイプまたはアップリンク情報タイプに依存し得る。たとえば、最小保証電力は、ＰＵＣＣＨ最小保証電力成分およびＰＵＳＣＨ保証最小電力成分のうちの少なくとも１つを含み、第１のアップリンクコンポーネントキャリアの送信電力がそれに維持される最小保証電力は、ＰＵＣＣＨおよび／またはＰＵＳＣＨが、現在サブフレーム中に第１のアップリンクコンポーネントキャリア上で送信されるようにスケジュールされるかどうかに依存し得る。ＰＵＣＣＨが、現在サブフレーム中に第１のアップリンクコンポーネントキャリア上で送信されるようにスケジュールされるとき、最小保証電力は、ＰＵＣＣＨ最小保証電力成分を含み得る。ＰＵＳＣＨが、現在サブフレーム中に第１のアップリンクコンポーネントキャリア上で送信されるようにスケジュールされるとき、最小保証電力は、ＰＵＳＣＨ最小保証電力成分を含み得る。ＰＵＣＣＨおよびＰＵＳＣＨが、現在サブフレーム中に第１のアップリンクコンポーネントキャリア上で送信されるようにスケジュールされるとき、最小保証電力は、ＰＵＣＣＨ最小保証電力成分および／またはＰＵＳＣＨ最小保証電力成分の組合せおよび／またはスケーリングされた割合を含み得る。現在サブフレーム中に第１のアップリンクコンポーネントキャリア上でＰＵＣＣＨとＰＵＳＣＨの両方をスケジュールする場合、最小保証電力は、別々に定義されたＰＵＣＣＨ／ＰＵＳＣＨ最小保証電力成分をも含み得る。
【０１３１】
[0145]  電力管理動作が、複数のコンポーネントキャリア中の１つまたは複数の他のコンポーネントキャリアについて、ブロック１２１５において実行されるとき、および１つまたは複数の他のコンポーネントキャリアが少なくとも第２のアップリンクコンポーネントキャリアを含むとき、同じ最小保証電力または異なる最小保証電力が、第１のアップリンクコンポーネントキャリアおよび第２のアップリンクコンポーネントキャリアのために維持され得る。
【０１３２】
[0146]  したがって、方法１２００はワイヤレス通信を提供し得る。方法１２００は一実装形態にすぎないこと、および方法１２００の動作は、他の実装形態が可能であるように、並べ替えられるかまたは場合によっては変更され得ることに留意されたい。
【０１３３】
[0147]  図１３は、本開示の様々な態様による、ワイヤレス通信のための方法１３００の一例を示すフローチャートである。明快のために、方法１３００について、図１、図２、図３、図４、図８、または図１０を参照しながら説明したＵＥ１１５、２１５、２１５−ａ、２１５−ｂ、２１５−ｃ、３１５、４１５、８１５、または１０１５のうちの１つまたは複数の態様、あるいは図６または図１７を参照しながら説明した装置６１５または７１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。方法１３００は、（たとえば、現在サブフレームについて、ＵＥまたは装置のために構成された複数のコンポーネントキャリアのための初期電力設定またはデフォルト電力設定が、ＵＥまたは装置のための許容される総最大送信電力を超えるので）現在サブフレームについて電力管理動作を実行するための決定が行われたと推定する。
【０１３４】
[0148]  ブロック１３０５において、方法１３００は、ＵＥのために構成された複数のコンポーネントキャリアのうちの第１のアップリンクコンポーネントキャリアを識別することを含み得る。いくつかの例では、複数のコンポーネントキャリアはＵＥのためのキャリアアグリゲーション動作のために構成され得る。いくつかの例では、複数のコンポーネントキャリアはＵＥのためのデュアル接続性動作のために構成され得る。いくつかの例では、複数のコンポーネントキャリアのうちの１つまたは複数の追加のコンポーネントキャリアも、ブロック１３０５において識別され得る。いくつかの例では、１つまたは複数の追加のコンポーネントキャリアは少なくとも第２のアップリンクコンポーネントキャリアを含み得る。ブロック１３０５における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１３５】
[0149]  ブロック１３１０において、方法１３００は、第１のアップリンクコンポーネントキャリアが共有無線周波数スペクトル帯域上で送信されると決定することを含み得る。共有無線周波数スペクトル帯域は、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域を含み得る。いくつかの例では、それの上で１つまたは複数の他のコンポーネントキャリアが搬送される無線周波数スペクトル帯域も、ブロック１３１０において決定され得る。たとえば、第２のアップリンクコンポーネントキャリアが共有無線周波数スペクトル帯域上で送信される、または第２のアップリンクコンポーネントキャリアが認可無線周波数スペクトル帯域上で送信されると決定され得る。認可無線周波数スペクトル帯域は、無線周波数スペクトル帯域が、ＬＴＥ／ＬＴＥ−Ａ通信のために使用可能な認可無線周波数スペクトル帯域など、特定の使用のために特定のユーザに認可されているので、送信装置がそれのためにアクセスを求めて競合しないことがある、無線周波数スペクトル帯域を含み得る。ブロック１３１０における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１３６】
[0150]  ブロック１３１５において、方法１３００は、ブロック１３１０において実行された決定することに少なくとも部分的に基づいて、現在サブフレームについて、第１のアップリンクコンポーネントキャリアに対して電力管理動作を実行することを含み得る。第１のアップリンクコンポーネントキャリアに対して電力管理動作を実行することは、現在サブフレームについて、第１のアップリンクコンポーネントキャリア上の送信をドロップすることを含み得る。いくつかの例では、電力管理動作はまた、複数のコンポーネントキャリア中の１つまたは複数の他のコンポーネントキャリアについて、ブロック１３１５において実行され得る。ブロック１３１５における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５、認可無線周波数スペクトル帯域電力管理構成要素７５０、および／または電力スケーリング構成要素７６０を使用して実行され得る。
【０１３７】
[0151]  ブロック１３２０において、方法１３００は、現在サブフレームの後にくる少なくとも１つの後続サブフレームについて、第１のアップリンクコンポーネントキャリア上の送信をドロップすることを含み得る。いくつかの例では、現在サブフレームの後にくる少なくとも１つの後続サブフレームは、現在サブフレームと後続フレームの境界との間の少なくとも１つのアップリンクサブフレームを含み得る。いくつかの例では、現在サブフレームの後にくる少なくとも１つの後続サブフレームは、現在サブフレームと後続フレームの境界との間のいくつかのアップリンクサブフレームの各々を含み得る。ブロック１３２０における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５および／または電力一貫性管理構成要素７７０を使用して実行され得る。
【０１３８】
[0152]  ブロック１３２５において、方法１３００は、共有無線周波数スペクトル帯域のためのＣＣＡを実行することを含み得る。ＣＣＡは、現在サブフレームの後にくる少なくとも１つの後続アップリンクサブフレームについて実行され得る。いくつかの例では、ＣＣＡは、拡張ＣＣＡの形態をとり得る。いくつかの例では、ブロック１３２５における（１つまたは複数の）動作は、ブロック１３２０における（１つまたは複数の）動作に続き得る。ブロック１３２５における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５および／または電力一貫性管理構成要素７７０を使用して実行され得る。
【０１３９】
[0153]  したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１４０】
[0154]  図１４は、本開示の様々な態様による、ワイヤレス通信のための方法１４００の一例を示すフローチャートである。明快のために、方法１４００について、図１、図２、図３、図４、図８、または図１０を参照しながら説明したＵＥ１１５、２１５、２１５−ａ、２１５−ｂ、２１５−ｃ、３１５、４１５、８１５、または１０１５のうちの１つまたは複数の態様、あるいは図６または図１７を参照しながら説明した装置６１５または７１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。方法１４００は、（たとえば、現在サブフレームについて、ＵＥまたは装置のために構成された複数のコンポーネントキャリアのための初期電力設定またはデフォルト電力設定が、ＵＥまたは装置のための許容される総最大送信電力を超えるので）現在サブフレームについて電力管理動作を実行するための決定が行われたと推定する。
【０１４１】
[0155]  ブロック１４０５において、方法１４００は、ＵＥのために構成された複数のコンポーネントキャリアのうちの第１のアップリンクコンポーネントキャリアを識別することを含み得る。いくつかの例では、複数のコンポーネントキャリアはＵＥのためのキャリアアグリゲーション動作のために構成され得る。いくつかの例では、複数のコンポーネントキャリアはＵＥのためのデュアル接続性動作のために構成され得る。いくつかの例では、複数のコンポーネントキャリアのうちの１つまたは複数の追加のコンポーネントキャリアも、ブロック１４０５において識別され得る。いくつかの例では、１つまたは複数の追加のコンポーネントキャリアは少なくとも第２のアップリンクコンポーネントキャリアを含み得る。ブロック１４０５における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１４２】
[0156]  ブロック１４１０において、方法１４００は、第１のアップリンクコンポーネントキャリアが共有無線周波数スペクトル帯域上で送信されると決定することを含み得る。共有無線周波数スペクトル帯域は、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域を含み得る。いくつかの例では、それの上で１つまたは複数の他のコンポーネントキャリアが搬送される無線周波数スペクトル帯域も、ブロック１４１０において決定され得る。たとえば、第２のアップリンクコンポーネントキャリアが共有無線周波数スペクトル帯域上で送信される、または第２のアップリンクコンポーネントキャリアが認可無線周波数スペクトル帯域上で送信されると決定され得る。認可無線周波数スペクトル帯域は、無線周波数スペクトル帯域が、ＬＴＥ／ＬＴＥ−Ａ通信のために使用可能な認可無線周波数スペクトル帯域など、特定の使用のために特定のユーザに認可されているので、送信装置がそれのためにアクセスを求めて競合しないことがある、無線周波数スペクトル帯域を含み得る。ブロック１４１０における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１４３】
[0157]  ブロック１４１５において、方法１４００は、ブロック１４１０において実行された決定することに少なくとも部分的に基づいて、現在サブフレームについて、第１のアップリンクコンポーネントキャリアに対して電力管理動作を実行することを含み得る。第１のアップリンクコンポーネントキャリアに対して電力管理動作を実行することは、現在サブフレームについて、第１のアップリンクコンポーネントキャリア上の送信電力を低減された電力にスケーリングすることを含み得る。いくつかの例では、電力管理動作はまた、複数のコンポーネントキャリア中の１つまたは複数の他のコンポーネントキャリアについて、ブロック１４１５において実行され得る。ブロック１４１５における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５、認可無線周波数スペクトル帯域電力管理構成要素７５０、および／または電力スケーリング構成要素７６０を使用して実行され得る。
【０１４４】
[0158]  ブロック１４１５の後に、方法１４００は、ブロック１４２０、ブロック１４２５、ブロック１４３０、またはブロック１４３５において続き得る。
【０１４５】
[0159]  ブロック１４２０において、方法１４００は、現在サブフレームの後にくる少なくとも１つの後続サブフレームについて、第１のアップリンクコンポーネントキャリア上の最大送信電力として、低減された電力を使用することを含み得る。いくつかの例では、現在サブフレームの後にくる少なくとも１つの後続サブフレームは、現在サブフレームと後続フレームの境界との間の少なくとも１つのアップリンクサブフレームを含み得る。いくつかの例では、現在サブフレームの後にくる少なくとも１つの後続サブフレームは、現在サブフレームと後続フレームの境界との間のいくつかのアップリンクサブフレームの各々を含み得る。ブロック１４２０における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５および／または電力一貫性管理構成要素７７０を使用して実行され得る。
【０１４６】
[0160]  ブロック１４２５において、方法１４００は、現在サブフレームについて、第１のアップリンクコンポーネントキャリア上の送信をドロップすることを含み得る。いくつかの例では、ブロック１４２５における（１つまたは複数の）動作は、電力管理動作を実行する必要が出るために（または第１のアップリンクコンポーネントキャリア上の送信電力をスケーリングする必要があるために）実行され得る。いくつかの例では、ブロック１４２５における（１つまたは複数の）動作は、ブロック１４１５において実行されたスケーリングすることがしきい値電力低減を上回ると、ブロック１４３０において決定されるために実行され得る。
【０１４７】
[0161]  ブロック１４２５における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５、および／または電力一貫性管理構成要素７７０を使用して実行され得る。ブロック１４３０における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５および／またはしきい値電力低減決定構成要素７６５を使用して実行され得る。
【０１４８】
[0162]  ブロック１４３５において、方法１４００は、現在サブフレームの後にくる少なくとも１つの後続サブフレームについて、第１のアップリンクコンポーネントキャリア上の送信をドロップすることを含み得る。いくつかの例では、現在サブフレームの後にくる少なくとも１つの後続サブフレームは、現在サブフレームと後続フレームの境界との間の少なくとも１つのアップリンクサブフレームを含み得る。いくつかの例では、現在サブフレームの後にくる少なくとも１つの後続サブフレームは、現在サブフレームと後続フレームの境界との間のいくつかのアップリンクサブフレームの各々を含み得る。
【０１４９】
[0163]  いくつかの例では、ブロック１４３５における（１つまたは複数の）動作は、第１のアップリンクコンポーネントキャリア上の送信電力がブロック１４１５においてスケーリングされるために実行され得る。いくつかの例では、ブロック１４３５における（１つまたは複数の）動作は、第１のアップリンクコンポーネントキャリア上の送信がブロック１４２５において現在サブフレームについてドロップされるために実行され得る。いくつかの例では、ブロック１４３５における（１つまたは複数の）動作は、ブロック１４１５において実行されたスケーリングすることがしきい値電力低減を上回ると、ブロック１４３０において決定されるために実行され得る。
【０１５０】
[0164]  ブロック１４３５における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５および／または電力一貫性管理構成要素７７０を使用して実行され得る。
【０１５１】
[0165]  したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１５２】
[0166]  図１５は、本開示の様々な態様による、ワイヤレス通信のための方法１５００の一例を示すフローチャートである。明快のために、方法１５００について、図１、図２、図３、図４、図８、または図１０を参照しながら説明したＵＥ１１５、２１５、２１５−ａ、２１５−ｂ、２１５−ｃ、３１５、４１５、８１５、または１０１５のうちの１つまたは複数の態様、あるいは図６または図１７を参照しながら説明した装置６１５または７１５のうちの１つまたは複数の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。方法１５００は、（たとえば、現在サブフレームについて、ＵＥまたは装置のために構成された複数のコンポーネントキャリアのための初期電力設定またはデフォルト電力設定が、ＵＥまたは装置のための許容される総最大送信電力を超えるので）現在サブフレームについて電力管理動作を実行するための決定が行われたと推定する。
【０１５３】
[0167]  ブロック１５０５において、方法１５００は、ＵＥのために構成された複数のコンポーネントキャリアのうちの第１のアップリンクコンポーネントキャリアを識別することを含み得る。いくつかの例では、複数のコンポーネントキャリアはＵＥのためのキャリアアグリゲーション動作のために構成され得る。いくつかの例では、複数のコンポーネントキャリアはＵＥのためのデュアル接続性動作のために構成され得る。いくつかの例では、複数のコンポーネントキャリアのうちの１つまたは複数の追加のコンポーネントキャリアも、ブロック１５０５において識別され得る。いくつかの例では、１つまたは複数の追加のコンポーネントキャリアは少なくとも第２のアップリンクコンポーネントキャリアを含み得る。ブロック１５０５における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１５４】
[0168]  ブロック１５１０において、方法１５００は、現在サブフレームについて、第１のアップリンクコンポーネントキャリアのための第１のアップリンクスケジューリングを受信することと、現在サブフレームについて、第１のアップリンクコンポーネントキャリアのための第２のアップリンクスケジューリングを受信することとを含み得る。ブロック１５１０における（１つまたは複数の）動作は、図６、図７、図８、または図１０を参照しながら説明したワイヤレス通信管理構成要素６２０、７２０、８６０、または１０８４、あるいは図７を参照しながら説明したアップリンクスケジューリング管理構成要素７７５を使用して実行され得る。
【０１５５】
[0169]  ブロック１５１５において、方法１５００は、第１のアップリンクコンポーネントキャリアが共有無線周波数スペクトル帯域上で送信されると決定することを含み得る。共有無線周波数スペクトル帯域は、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域を含み得る。いくつかの例では、それの上で１つまたは複数の他のコンポーネントキャリアが搬送される無線周波数スペクトル帯域も、ブロック１５１５において決定され得る。たとえば、第２のアップリンクコンポーネントキャリアが共有無線周波数スペクトル帯域上で送信される、または第２のアップリンクコンポーネントキャリアが認可無線周波数スペクトル帯域上で送信されると決定され得る。認可無線周波数スペクトル帯域は、無線周波数スペクトル帯域が、ＬＴＥ／ＬＴＥ−Ａ通信のために使用可能な認可無線周波数スペクトル帯域など、特定の使用のために特定のユーザに認可されているので、送信装置がそれのためにアクセスを求めて競合しないことがある、無線周波数スペクトル帯域を含み得る。ブロック１５１５における（１つまたは複数の）動作は、図６、図７、図８、または図１０を参照しながら説明したワイヤレス通信管理構成要素６２０、７２０、８６０、または１０８４、あるいは図６または図７を参照しながら説明したコンポーネントキャリア管理構成要素６３５または７３５を使用して実行され得る。
【０１５６】
[0170]  ブロック１５２０において、方法１５００は、ブロック１５１５において実行された決定することに少なくとも部分的に基づいて、現在サブフレームについて、第１のアップリンクコンポーネントキャリアに対して電力管理動作を実行することを含み得る。いくつかの例では、電力管理動作はまた、複数のコンポーネントキャリア中の１つまたは複数の他のコンポーネントキャリアについて、ブロック１５２０において実行され得る。ブロック１５２０における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５および／または認可無線周波数スペクトル帯域電力管理構成要素７５０を使用して実行され得る。
【０１５７】
[0171]  ブロック１５２０の後に、方法１５００は、ブロック１５２５、ブロック１５３０、またはブロック１５３５において続き得る。
【０１５８】
[0172]  ブロック１５２５において、方法１５００は、電力管理動作を実行することに少なくとも部分的に基づいて、第２のアップリンクスケジューリングを使用することを含み得る。電力管理動作が実行されないとき、第１のアップリンクスケジューリングが使用され得る。ブロック１５２５における（１つまたは複数の）動作は、図６、図７、図８、または図１０を参照しながら説明したワイヤレス通信管理構成要素６２０、７２０、８６０、または１０８４、あるいは図７を参照しながら説明したアップリンクスケジューリング管理構成要素７７５を使用して実行され得る。
【０１５９】
[0173]  ブロック１５３０において、方法１５００は、電力管理動作の状態に少なくとも部分的に基づいて第１のアップリンクスケジューリングまたは第２のアップリンクスケジューリングを使用することを含み得る。ブロック１５３０における（１つまたは複数の）動作は、図６、図７、図８、または図１０を参照しながら説明したワイヤレス通信管理構成要素６２０、７２０、８６０、または１０８４、あるいは図７を参照しながら説明したアップリンクスケジューリング管理構成要素７７５を使用して実行され得る。
【０１６０】
[0174]  ブロック１５３５において、方法１５００は、現在サブフレームについて、第１のアップリンクコンポーネントキャリア上の総送信電力を低減された電力にスケーリングすることを含み得る。ブロック１５３５における（１つまたは複数の）動作は、図６、図７、図８、または図１０を参照しながら説明したワイヤレス通信管理構成要素６２０、７２０、８６０、または１０８４、図６または図７を参照しながら説明した電力管理構成要素６４０または７４０、あるいは図７を参照しながら説明した共有無線周波数スペクトル帯域電力管理構成要素７４５および／または電力スケーリング構成要素７６０を使用して実行され得る。
【０１６１】
[0175]  ブロック１５４０において、方法１５００は、スケーリングすることがしきい値電力低減を上回らないとき、第１のアップリンクスケジューリングを使用することと、スケーリングすることがしきい値電力低減を上回るとき、第２のアップリンクスケジューリングを使用することとを含み得る。ブロック１５２５における（１つまたは複数の）動作は、図６、図７、図８、または図１０を参照しながら説明したワイヤレス通信管理構成要素６２０、７２０、８６０、または１０８４、あるいは図７を参照しながら説明したアップリンクスケジューリング管理構成要素７７５を使用して実行され得る。
【０１６２】
[0176]  したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１６３】
[0177]  いくつかの例では、図１１、図１２、図１３、図１４、または図１５を参照しながら説明した方法１１００、１２００、１３００、１４００、または１５００のうちの１つまたは複数の態様が組み合わせられ得る。
【０１６４】
[0178]  本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１６５】
[0179]  添付の図面に関して上記に記載された詳細な説明は、例について説明しており、実装され得るまたは特許請求の範囲内に入る例のすべてを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１６６】
[0180]  情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１６７】
[0181]  本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１６８】
[0182]  本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１６９】
[0183]  コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７０】
[0184]  本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
【図１】
2020145709.tif 000003
【図２】
2020145709.tif 000004
【図３】
2020145709.tif 000005
【図４】
2020145709.tif 000006
【図５】
2020145709.tif 000007
【図６】
2020145709.tif 000008
【図７】
2020145709.tif 000009
【図８】
2020145709.tif 000010
【図９】
2020145709.tif 000011
【図１０】
2020145709.tif 000012
【図１１】
2020145709.tif 000013
【図１２】
2020145709.tif 000014
【図１３】
2020145709.tif 000015
【図１４】
2020145709.tif 000016
【図１５】
2020145709.tif 000017
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、ここにおいて、１つまたは複数のデバイスは、前記共有無線周波数スペクトル帯域にアクセスするために競合し、
前記第１のアップリンクコンポーネントキャリアが前記共有無線周波数スペクトル帯域上で送信されると前記決定することに少なくとも部分的に基づいて、現在サブフレームについて、前記第１のアップリンクコンポーネントキャリアに対して送信電力管理動作を実行することと、ここにおいて、前記送信電力管理動作は、前記第１のアップリンクコンポーネントキャリアの前記現在サブフレームの送信電力を低減することを含み、
前記現在サブフレームの後にくる少なくとも１つの後続サブフレームに前記送信電力管理動作を持ち越すことと、ここにおいて、前記送信電力管理動作を持ち越すことは、前記第１のアップリンクコンポーネントキャリアの前記少なくとも１つの後続サブフレームについて前記低減された送信電力を使用することを含む、
を備える、ワイヤレス通信のための方法。
【請求項２】
前記送信電力管理動作を実行することが、
前記第１のアップリンクコンポーネントキャリア上の送信電力を最小保証電力以上に維持すること
を備える、請求項１に記載の方法。
【請求項３】
前記最小保証電力が、前記第１のアップリンクコンポーネントキャリア上で送信されるチャネルタイプまたはアップリンク情報タイプに依存する、請求項２に記載の方法。
【請求項４】
前記現在サブフレーム中に前記第１のアップリンクコンポーネントキャリア上で物理アップリンク制御チャネル（ＰＵＣＣＨ）または物理アップリンク共有チャネル（ＰＵＳＣＨ）のうちの少なくとも１つをスケジュールすること
をさらに備える、請求項３に記載の方法。
【請求項５】
前記最小保証電力がＰＵＣＣＨ最小保証電力成分およびＰＵＳＣＨ最小保証電力成分のうちの少なくとも１つを備え、ここにおいて、前記ＰＵＣＣＨ最小保証電力成分が前記ＰＵＳＣＨ最小保証電力成分よりも大きい、請求項４に記載の方法。
【請求項６】
前記少なくとも１つの後続サブフレームが、前記現在サブフレームと後続フレームの境界との間の少なくとも１つのアップリンクサブフレームを備える、請求項１に記載の方法。
【請求項７】
前記現在サブフレームと後続フレームの境界との間のいくつかのアップリンクサブフレームのうちの少なくとも１つについて、前記第１のアップリンクコンポーネントキャリア上の送信をドロップすること
をさらに備える、請求項１に記載の方法。
【請求項８】
前記低減することがしきい値電力低減を上回り、前記方法が、
前記現在サブフレームと後続フレームの境界との間のいくつかのアップリンクサブフレームのうちの少なくとも１つについて、前記第１のアップリンクコンポーネントキャリア上の送信をドロップすること
をさらに備える、請求項１に記載の方法。
【請求項９】
前記送信電力管理動作を実行することが、
前記現在サブフレームについて、前記第１のアップリンクコンポーネントキャリア上の送信をドロップすること
を備える、請求項１に記載の方法。
【請求項１０】
前記現在サブフレームと後続フレームの境界との間のいくつかのアップリンクサブフレームのうちの少なくとも１つについて、前記第１のアップリンクコンポーネントキャリア上の送信をドロップすること
をさらに備える、請求項９に記載の方法。
【請求項１１】
前記現在サブフレームと後続フレームの境界との間のいくつかのアップリンクサブフレームのうちの各々について、前記第１のアップリンクコンポーネントキャリア上の送信をドロップすること
をさらに備える、請求項９に記載の方法。
【請求項１２】
前記現在サブフレームの後にくる少なくとも１つの後続アップリンクサブフレームについて前記共有無線周波数スペクトル帯域のためのクリアチャネルアセスメント（ＣＣＡ）を実行すること
をさらに備える、請求項９に記載の方法。
【請求項１３】
前記現在サブフレームについて、前記第１のアップリンクコンポーネントキャリアのための第１のアップリンクスケジューリングを受信することと、
前記現在サブフレームについて、前記第１のアップリンクコンポーネントキャリアのための第２のアップリンクスケジューリングを受信することと
をさらに備える、請求項１に記載の方法。
【請求項１４】
前記送信電力管理動作を実行することに少なくとも部分的に基づいて前記第２のアップリンクスケジューリングを使用すること
をさらに備える、請求項１３に記載の方法。
【請求項１５】
前記送信電力管理動作の状態に少なくとも部分的に基づいて前記第１のアップリンクスケジューリングまたは前記第２のアップリンクスケジューリングを使用すること
をさらに備える、請求項１３に記載の方法。
【請求項１６】
前記送信電力管理動作を実行することが、
前記低減することがしきい値電力低減を上回らないとき、前記第１のアップリンクスケジューリングを使用することと、
前記低減することが前記しきい値電力低減を上回るとき、前記第２のアップリンクスケジューリングを使用することと
を備える、請求項１３に記載の方法。
【請求項１７】
前記複数のコンポーネントキャリアが、前記共有無線周波数スペクトル帯域上で送信される第２のアップリンクコンポーネントキャリアを備える、請求項１に記載の方法。
【請求項１８】
前記複数のコンポーネントキャリアが、認可無線周波数スペクトル帯域上で送信される第２のアップリンクコンポーネントキャリアを備える、請求項１に記載の方法。
【請求項１９】
前記複数のコンポーネントキャリアが前記ＵＥのためのキャリアアグリゲーション動作のために構成された、請求項１に記載の方法。
【請求項２０】
前記複数のコンポーネントキャリアが前記ＵＥのためのデュアル接続性動作のために構成された、請求項１に記載の方法。
【請求項２１】
ユーザ機器（ＵＥ）のために構成された複数のコンポーネントキャリアのうちの第１のアップリンクコンポーネントキャリアを識別するための手段と、
前記第１のアップリンクコンポーネントキャリアが共有無線周波数スペクトル帯域上で送信されると決定するための手段と、ここにおいて、１つまたは複数のデバイスは、前記共有無線周波数スペクトル帯域にアクセスするために競合し、
前記第１のアップリンクコンポーネントキャリアが前記共有無線周波数スペクトル帯域上で送信されると前記決定することに少なくとも部分的に基づいて、現在サブフレームについて、前記第１のアップリンクコンポーネントキャリアに対して送信電力管理動作を実行するための手段と、ここにおいて、前記送信電力管理動作は、前記第１のアップリンクコンポーネントキャリアの前記現在サブフレームの送信電力を低減することを含み、
前記現在サブフレームの後にくる少なくとも１つの後続サブフレームに前記送信電力管理動作を持ち越すための手段と、ここにおいて、前記送信電力管理動作を持ち越すことは、前記第１のアップリンクコンポーネントキャリアの前記少なくとも１つの後続サブフレームについて前記低減された送信電力を使用することを含む、
を備える、ワイヤレス通信のための装置。
【請求項２２】
プロセッサと、
前記プロセッサと電子通信しているメモリと
を備え、
前記プロセッサおよび前記メモリは、
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、ここにおいて、１つまたは複数のデバイスは、前記共有無線周波数スペクトル帯域にアクセスするために競合し、
前記第１のアップリンクコンポーネントキャリアが前記共有無線周波数スペクトル帯域上で送信されると前記決定することに少なくとも部分的に基づいて、現在サブフレームについて、前記第１のアップリンクコンポーネントキャリアに対して送信電力管理動作を実行することと、ここにおいて、前記送信電力管理動作は、前記第１のアップリンクコンポーネントキャリアの前記現在サブフレームの送信電力を低減することを含み、
前記現在サブフレームの後にくる少なくとも１つの後続サブフレームに前記送信電力管理動作を持ち越すことと、ここにおいて、前記送信電力管理動作を持ち越すことは、前記第１のアップリンクコンポーネントキャリアの前記少なくとも１つの後続サブフレームについて前記低減された送信電力を使用することを含む、
を行うように構成された、ワイヤレス通信のための装置。
【請求項２３】
前記プロセッサおよび前記メモリが、
前記第１のアップリンクコンポーネントキャリア上の送信電力を最小保証電力以上に維持すること
を行うように構成された、請求項２２に記載の装置。
【請求項２４】
前記最小保証電力が、前記第１のアップリンクコンポーネントキャリア上で送信されるチャネルタイプまたはアップリンク情報タイプに依存する、請求項２３に記載の装置。
【請求項２５】
ワイヤレス通信のためのコンピュータ実行可能コードを記憶する非一時的コンピュータ可読媒体であって、前記コードが、
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、ここにおいて、１つまたは複数のデバイスは、前記共有無線周波数スペクトル帯域にアクセスするために競合し、
前記第１のアップリンクコンポーネントキャリアが前記共有無線周波数スペクトル帯域上で送信されると前記決定することに少なくとも部分的に基づいて、現在サブフレームについて、前記第１のアップリンクコンポーネントキャリアに対して送信電力管理動作を実行することと、ここにおいて、前記送信電力管理動作は、前記第１のアップリンクコンポーネントキャリアの前記現在サブフレームの送信電力を低減することを含み、
前記現在サブフレームの後にくる後続サブフレームに前記送信電力管理動作を持ち越すことと、ここにおいて、前記送信電力管理動作を持ち越すことは、前記第１のアップリンクコンポーネントキャリアの前記少なくとも１つの後続サブフレームについて前記低減された送信電力を使用することを含む、
を行うようにプロセッサによって実行可能である、非一時的コンピュータ可読媒体。
【請求項２６】
前記少なくとも１つの後続サブフレームが、前記現在サブフレームと後続フレームの境界との間の少なくとも１つのアップリンクサブフレームを備える、請求項２２に記載の装置。
【請求項２７】
前記低減することがしきい値電力低減を上回り、前記プロセッサおよび前記メモリが、
前記現在サブフレームと後続フレームの境界との間のいくつかのアップリンクサブフレームのうちの少なくとも１つについて、前記第１のアップリンクコンポーネントキャリア上の送信をドロップすること
を行うようにさらに構成される、請求項２２に記載の装置。
【請求項２８】
前記送信電力管理動作を実行するために、前記プロセッサおよび前記メモリが、
前記現在サブフレームについて、前記第１のアップリンクコンポーネントキャリア上の送信をドロップすること
を行うように構成される、請求項２２に記載の装置。
【請求項２９】
前記プロセッサおよび前記メモリが、
前記現在サブフレームと後続フレームの境界との間のいくつかのアップリンクサブフレームのうちの少なくとも１つについて、前記第１のアップリンクコンポーネントキャリア上の送信をドロップすること
を行うように構成される、請求項２８に記載の装置。
【請求項３０】
前記プロセッサおよび前記メモリが、
前記現在サブフレームと後続フレームの境界との間のいくつかのアップリンクサブフレームのうちの各々について、前記第１のアップリンクコンポーネントキャリア上の送信をドロップすること
を行うように構成される、請求項２８に記載の装置。
【手続補正２】
【補正対象書類名】明細書
【補正対象項目名】０１７０
【補正方法】変更
【補正の内容】
【０１７０】
[0184]  本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することと
を備える、ワイヤレス通信のための方法。
［Ｃ２］
前記電力管理動作を実行することが、
前記第１のアップリンクコンポーネントキャリア上の送信電力を最小保証電力以上に維持すること
を備える、Ｃ１に記載の方法。
［Ｃ３］
前記最小保証電力が、前記第１のアップリンクコンポーネントキャリア上で送信されるチャネルタイプまたはアップリンク情報タイプに依存する、Ｃ２に記載の方法。
［Ｃ４］
前記現在サブフレーム中に前記第１のアップリンクコンポーネントキャリア上で物理アップリンク制御チャネル（ＰＵＣＣＨ）または物理アップリンク共有チャネル（ＰＵＳＣＨ）のうちの少なくとも１つをスケジュールすること
をさらに備える、Ｃ３に記載の方法。
［Ｃ５］
前記最小保証電力がＰＵＣＣＨ最小保証電力成分およびＰＵＳＣＨ最小保証電力成分のうちの少なくとも１つを備え、ここにおいて、前記ＰＵＣＣＨ最小保証電力成分が前記ＰＵＳＣＨ最小保証電力成分よりも大きい、Ｃ４に記載の方法。
［Ｃ６］
前記電力管理動作を実行することが、
前記現在サブフレームについて、前記第１のアップリンクコンポーネントキャリア上の送信電力を低減された電力にスケーリングすること
を備える、Ｃ１に記載の方法。
［Ｃ７］
前記現在サブフレームの後にくる少なくとも１つの後続サブフレームについて、前記第１のアップリンクコンポーネントキャリア上の最大送信電力として、前記低減された電力を使用すること
をさらに備える、Ｃ６に記載の方法。
［Ｃ８］
前記少なくとも１つの後続サブフレームが、前記現在サブフレームと後続フレームの境界との間の少なくとも１つのアップリンクサブフレームを備える、Ｃ７に記載の方法。
［Ｃ９］
前記現在サブフレームと後続フレームの境界との間のいくつかのアップリンクサブフレームのうちの少なくとも１つについて、前記第１のアップリンクコンポーネントキャリア上の送信をドロップすること
をさらに備える、Ｃ６に記載の方法。
［Ｃ１０］
前記スケーリングすることがしきい値電力低減を上回り、前記方法が、
前記現在サブフレームと後続フレームの境界との間のいくつかのアップリンクサブフレームのうちの少なくとも１つについて、前記第１のアップリンクコンポーネントキャリア上の送信をドロップすること
をさらに備える、Ｃ６に記載の方法。
［Ｃ１１］
前記電力管理動作を実行することが、
前記現在サブフレームに先行するサブフレーム中に前記第１のアップリンクコンポーネントキャリア上の送信電力を使用すること、前記送信電力が、前記現在サブフレームについて、前記第１のアップリンクコンポーネントキャリア上の最大送信電力である、
を備える、Ｃ１に記載の方法。
［Ｃ１２］
前記電力管理動作を実行することが、
前記現在サブフレームについて、前記第１のアップリンクコンポーネントキャリア上の送信をドロップすること
を備える、Ｃ１に記載の方法。
［Ｃ１３］
前記現在サブフレームと後続フレームの境界との間のいくつかのアップリンクサブフレームのうちの少なくとも１つについて、前記第１のアップリンクコンポーネントキャリア上の送信をドロップすること
をさらに備える、Ｃ１２に記載の方法。
［Ｃ１４］
前記現在サブフレームと後続フレームの境界との間のいくつかのアップリンクサブフレームのうちの少なくとも１つについて、前記第１のアップリンクコンポーネントキャリア上の送信をドロップすること
をさらに備える、Ｃ１２に記載の方法。
［Ｃ１５］
前記共有無線周波数スペクトル帯域のためのクリアチャネルアセスメント（ＣＣＡ）を実行すること、前記ＣＣＡが、前記現在サブフレームの後にくる少なくとも１つの後続アップリンクサブフレームについて実行される、
をさらに備える、Ｃ１２に記載の方法。
［Ｃ１６］
前記現在サブフレームについて、前記第１のアップリンクコンポーネントキャリアのための第１のアップリンクスケジューリングを受信することと、
前記現在サブフレームについて、前記第１のアップリンクコンポーネントキャリアのための第２のアップリンクスケジューリングを受信することと
をさらに備える、Ｃ１に記載の方法。
［Ｃ１７］
前記電力管理動作を実行することに少なくとも部分的に基づいて前記第２のアップリンクスケジューリングを使用すること
をさらに備える、Ｃ１６に記載の方法。
［Ｃ１８］
前記電力管理動作の状態に少なくとも部分的に基づいて前記第１のアップリンクスケジューリングまたは前記第２のアップリンクスケジューリングを使用すること
をさらに備える、Ｃ１６に記載の方法。
［Ｃ１９］
前記電力管理動作を実行することが、
前記現在サブフレームについて、前記第１のアップリンクコンポーネントキャリア上の送信電力を低減された電力にスケーリングすることと、
前記スケーリングすることがしきい値電力低減を上回らないとき、前記第１のアップリンクスケジューリングを使用することと、
前記スケーリングすることが前記しきい値電力低減を上回るとき、前記第２のアップリンクスケジューリングを使用することと
を備える、Ｃ１６に記載の方法。
［Ｃ２０］
前記複数のコンポーネントキャリアが、前記共有無線周波数スペクトル帯域上で送信される第２のアップリンクコンポーネントキャリアを備える、Ｃ１に記載の方法。
［Ｃ２１］
前記複数のコンポーネントキャリアが、認可無線周波数スペクトル帯域上で送信される第２のアップリンクコンポーネントキャリアを備える、Ｃ１に記載の方法。
［Ｃ２２］
前記複数のコンポーネントキャリアが前記ＵＥのためのキャリアアグリゲーション動作のために構成された、Ｃ１に記載の方法。
［Ｃ２３］
前記複数のコンポーネントキャリアが前記ＵＥのためのデュアル接続性動作のために構成された、Ｃ１に記載の方法。
［Ｃ２４］
ユーザ機器（ＵＥ）のために構成された複数のコンポーネントキャリアのうちの第１のアップリンクコンポーネントキャリアを識別するための手段と、
前記第１のアップリンクコンポーネントキャリアが共有無線周波数スペクトル帯域上で送信されると決定するための手段と、
前記決定することに少なくとも部分的に基づいて、現在サブフレームについて、前記第１のアップリンクコンポーネントキャリアに対して電力管理動作を実行するための手段とを備える、ワイヤレス通信のための装置。
［Ｃ２５］
プロセッサと、
前記プロセッサと電子通信しているメモリと
を備え、
前記プロセッサおよび前記メモリは、
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することと
を行うように構成された、ワイヤレス通信のための装置。
［Ｃ２６］
前記プロセッサおよび前記メモリが、
前記第１のアップリンクコンポーネントキャリア上の送信電力を最小保証電力以上に維持すること
を行うように構成された、Ｃ２５に記載の装置。
［Ｃ２７］
前記最小保証電力が、前記第１のアップリンクコンポーネントキャリア上で送信されるチャネルタイプまたはアップリンク情報タイプに依存する、Ｃ２６に記載の装置。
［Ｃ２８］
前記プロセッサおよび前記メモリが、
前記現在サブフレームについて、前記第１のアップリンクコンポーネントキャリア上の送信電力を低減された電力にスケーリングすること
を行うように構成された、Ｃ２５に記載の装置。
［Ｃ２９］
前記プロセッサおよび前記メモリが、
前記現在サブフレームの後にくる少なくとも１つの後続サブフレームについて、前記第１のアップリンクコンポーネントキャリア上の最大送信電力として、前記低減された電力を使用すること
を行うように構成された、Ｃ２８に記載の装置。
［Ｃ３０］
ワイヤレス通信のためのコンピュータ実行可能コードを記憶する非一時的コンピュータ可読媒体であって、前記コードが、
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することと
を行うためにプロセッサによって実行可能である、非一時的コンピュータ可読媒体。
【外国語明細書】
2020145709000001.pdf